(57)【特許請求の範囲】
【請求項１】
施設の後援者にデータをプレゼンテーションするための方法であって、後援者が施設においてポータブル電子装置を動作し且つワイヤレスネットワークアクセスできるような方法において、
後援者に関連したポータブル電子装置が所定の施設に置かれているかどうか決定するステップと、
所定の施設に置かれた後援者に関連したポータブル電子装置からリモートデータサーバーへデータ要求を送信するステップと、
前記ポータブル電子装置において、前記リモートデータサーバーから前記ワイヤレスネットワークを経てデータ応答を受け取るステップと、
を含み、
該データ応答は、所定の施設に関する施設ベース情報を含むか又はそれを参照するようになっており、
前記施設ベース情報は、前記所定の施設において現在再生しているメディア品目、または前記所定の施設において最近再生されたメディア品目のリストに関する記述情報を含んでおり、
前記ポータブル電子装置において、前記施設ベース情報と前記該ポータブル電子装置のディスプレイ上に既に存在する情報とを同時に表示するステップをさらに備え、
データ要求により要求されるデータの少なくとも一部分は、後援者が前記所定の施設にいると決定されるかどうかに基づくようになっており、
前記表示は前記施設ベース情報によって識別されている１つ以上の前記メディア品目
の購入をユーザが開始できるようにする１つ以上の購入コントロールを表示するようになっている方法。
【請求項２】
前記データ要求により要求されるデータの少なくとも一部分は、所定の施設に基づく、請求項１に記載の方法。
【請求項３】
前記データ要求は、所定の施設のための施設識別子を含むか又はそれに関連付けされる、請求項２に記載の方法。
【請求項４】
表示されている前記１つ以上の購入コントロールは、前記関連するメディア品目の購入が完了出来る場合には、選択によって、オンラインストアメディアページにアクセスするリンクである、請求項１から３のいずれかに記載の方法。
【請求項５】
ストアの後援者へカスタマイズされたデータを与えるための方法において、
ストアにいる後援者に関連した要求側電子装置から開始されたデータ要求を受信するステップと、
ストアに対するストア識別子を得るステップであって、このストア識別子は、データ要求と共に与えられるか又はそれに関連付けられるようなステップと、
ストアに関連したストアベース情報をストア識別子に基づいて検索するステップと、
少なくとも要求されたストアベース情報を含むデータ応答を形成するステップであって、前記ストアベース情報は、前記ストアに関連する少なくともメディア再生情報を含んでおり、該メディア再生情報は、現在前記ストアで再生しているメディア品目、または、前記ストアで最近再生されたメディア品目のリストに関する記述情報を含んでいるステップと、
そのデータ応答を、後援者に関連した要求側電子装置へ送信して前記施設ベース情報と前記該ポータブル電子装置のディスプレイ上に既に存在する情報とを同時に表示するステップと、
を備え、
前記後援者に関係した要求側電子装置へ送信された応答は該要求側電子装置に、前記後援者が前記施設ベース情報によって識別されている１つ以上のメディア品目の購入を開始できるようにする１つ以上の購入コントロールを表示できるようになっている方法。
【請求項６】
前記検索するステップは、
ストアに関連したストアベース情報を要求する段階であって、前記ストア識別子は、このストアベース情報の要求と共に与えられ又はそれに関連付けされるような段階と、
ストアに関連したその要求されたストアベース情報を受信する段階と、
を含む請求項５に記載の方法。
【請求項７】
ストアベース情報を要求する前記段階は、複数のストアに対するストアベース情報を記憶するリモートサーバーからストアベース情報を要求する、請求項６に記載の方法。
【請求項８】
ストアにおいてメディア品目を再生するためにストアにはメディアプレイシステムも設けられ、そして前記メディア再生情報が前記ストアにおけるメディアプレイシステムによって再生されているメディア品目に関連している、請求項５から７のいずれか１つの請求項に記載の方法。
【請求項９】
前記データ要求は、オンラインストアメディアデータページに対するオンラインメディアストアへの要求であり、そしてデータ応答は、要求されたストアベース情報と、オンラインメディアストアから購入のために得られる１つ以上のメディア品目に関する情報とを含む、請求項５から７のいずれか１つの請求項に記載の方法。
【請求項１０】
ストアにおいてメディア品目を再生するためにストアにはメディアプレイシステムも設けられ、そして前記ストアベース情報は、少なくとも、ストアにおけるメディアプレイシステムによるメディア再生情報を含む、請求項９に記載の方法。
【請求項１１】
ストアにおけるメディア品目を再生するための、ストアにおけるメディアプレイシステムを有する該ストアの後援者へ情報を与えるための方法において、
ストアにいる後援者に関連した要求側電子装置から開始されたデータ要求を受信するステップと、
後援者がストアにいるかどうか決定するステップと、
前記施設ベース情報と前記該要求側電子装置のディスプレイ上に既に存在する情報とを同時に表示するために前記要求側電子装置へデータ応答を送信するステップとを備え、
このデータ応答は、後援者がストアにいると決定された場合にストアに関するストアベース情報を含むか又はそれを参照するものであり、
前記ストアベース情報が前記ストアにおける前記メディアプレイシステムによる少なくともメディア再生情報を含み、
該メディア再生情報が前記ストアにおいて現在再生されているメディア品目、または、前記ストアにおいて最近再生されたメディア品目のリストに関する記述情報を含み、
かつ、
前記ストアベース情報の表示により、少なくとも１つの購入コントロールが、現在再生されているメディア品目か、または最近再生されたメディア品目の前記リストにおける１つ以上の前記メディア品目の購入をユーザが開始できるようになっている方法。
【請求項１２】
前記データ要求は、オンラインストアメディアデータページに対するオンラインメディアストアへの要求であり、そしてデータ応答は、オンラインメディアストアから購入のために得られる１つ以上のメディア品目に関する情報を含む、請求項１１に記載の方法。
【請求項１３】
前記送信するステップは、
データ要求に応答してページを形成する段階と、
ストアに後援者がいると決定されたときにストアベース情報を含むか又はそれに関連付けるようにページを増強する段階と、
を含む請求項１１に記載の方法。
【請求項１４】
後援者がストアにいるかどうか決定する前記ステップは、前記データ要求を検査して、後援者がストアにいるかどうか決定することを含む、請求項１１に記載の方法。
【請求項１５】
後援者がストアにいるかどうか決定する前記ステップは、前記データ要求がストアに対する特定のストア識別子を含むか又はそれを参照するかどうか決定することを含む、請求項１１に記載の方法。
【請求項１６】
グローバルネットワークへのアクセスを与えるローカルワイヤレスネットワークを有するストアの位置でユーザに関連したネットワークアクセス可能な電子装置にページをプレゼンテーションする方法において、
(ａ)ストアの位置にある装置をローカルワイヤレスネットワークにワイヤレス接続するステップと、
(ｂ)ストアの位置に対するストア識別子を得るステップと、
(ｃ)装置から、ストア識別子を含むか又はそれを参照するページ要求を使用して、オンラインメディアストアからのページを要求するステップと、
(ｄ)オンラインメディアストアのサーバーでページ要求を受信するステップと、
(ｅ)ページ要求がストア識別子を含むかどうか決定するステップと、
(ｆ)要求ページを検索して、そのページ要求がストア識別子を含まないときにその要求されたページを装置へ送信するステップと、
(ｇ)ページ要求がストア識別子を含むときにはストア識別子に基づいてリモートサーバーからストア関連情報を要求するステップと、
(ｈ)前記要求(ｇ)に応答してそのストア関連情報を受信するステップと、
(ｉ)要求ページを検索し、要求ページがストア識別子を含むときに要求ページをストア関連情報の観点で変更し、その変更された要求ページを装置へ送信するステップと、
を備えた方法。
【請求項１７】
ディスプレイと、
ワイヤレス通信回路と、
ポータブル電子装置が施設に置かれているかどうか決定し、そしてポータブル電子装置が施設に置かれているときにその施設に関する施設ベース情報をディスプレイに表示するように構成されたプロセッサと、を備え、
該施設ベース情報が、現在当該施設で再生されているかまたは、最近再生された少なくとも１つのメディア品目に関する情報である、
前記施設ベース情報と前記該ポータブル電子装置のディスプレイ上に既に存在する情報とが同時に表示され、かつ
前記施設ベース情報の表示が、前記施設ベース情報によって識別されている前記少なくとも１つのメディア品目の購入をユーザが開始できるようになっている少なくとも１つの購入コントロールを含むことを特徴とするポータブル電子装置。
【請求項１８】
前記ポータブル電子装置は、それが施設に置かれていないときは第１モードで動作し、そして施設に置かれているときは第２モードで動作する、請求項１７に記載のポータブル電子装置。
【請求項１９】
前記第２モードでは、ディスプレイが施設ベース情報をプレゼンテーションし、そして前記第１モードでは、ディスプレイが施設ベース情報をプレゼンテーションしない、請求項１８に記載のポータブル電子装置。
【請求項２０】
前記施設ベース情報は、ワイヤレス通信回路を経てポータブル電子装置に受け取られるようになっており、かつ、
表示されている前記少なくとも１つの購入コントロールが、前記関連するメディア品目の購入が完了した場合には、オンラインメディアページに選択によってアクセスする少なくとも１つの購入ボタンとして作用することを特徴とする、
請求項１７に記載のポータブル電子装置。
【請求項２１】
施設の後援者にデータを与えるために少なくとも実行可能なコンピュータプログラムコードが有形に記憶されたコンピュータ読み取り可能なメディアにおいて、
施設にいる後援者に関連した要求側電子装置から開始されたデータ要求を受信するためのコンピュータプログラムコードと、
施設に対する識別子を得るためのコンピュータプログラムコードであって、この識別子は、データ要求と共に与えられるか又はそれに関連付けられたものであるコンピュータプログラムコードと、
施設に関連した施設ベース情報を識別子に基づいて検索するためのコンピュータプログラムコードと、
少なくとも要求された施設ベース情報を含むデータ応答を形成するためのコンピュータプログラムコードと、を備え、
前記施設ベース情報が前記施設に関連する少なくともメディア再生情報を含み、
該メディア再生情報が前記ストアにおいて現在再生されているメディア品目、または、前記ストアにおいて最近再生されたメディア品目のリストに関する記述情報を含みさらに、前記ポータブル電子装置において、前記施設ベース情報と前記該ポータブル電子装置のディスプレイ上に既に存在する情報とを同時に表示するためのコンピュータプログラムコードと、
そのデータ応答を、後援者に関連した要求側電子装置へ送信するためのコンピュータプログラムコードと、
を備えたコンピュータ読み取り可能なメディア。
【発明の詳細な説明】
【技術分野】
【０００１】
本発明は、位置固有データを提供することに係り、より詳細には、位置固有データを店の後援者に提供することに係る。
【０００２】
著作権の通知：本特許文書の開示の一部分は、著作権保護を受ける資料を含む。著作権所有者は、米国特許商標庁の特許ファイル又は記録に現れるように特許文献又は特許開示を誰かが複写再現することに異議を唱えるものではなく、著作権の全ての権利は何であれ保存されるものとする。
【背景技術】
【０００３】
会社は、通常、Ｔ１ラインのような専用線によりインターネットに結合する。これらの会社に対する後援者（例えば、顧客）も、会社の位置にあるルーターにより専用線を経てインターネットにアクセスすることが許される。あるケースでは、ルーターは、後援者がローカルワイヤレス接続（例えば、ＷｉＦｉ）により専用線へのアクセスを得ることができるようにするワイヤレスルーターである。ある会社、又は会社にネットワークアクセスサービスを提供する独立したネットワークサービスプロバイダーは、インターネットアクセスについて後援者に課金するが、他の会社は、ネットワークアクセスを無料で提供する。それでも、インターネットアクセスが提供されると、後援者は、通常、ネットワークを自由にナビゲートする。
【０００４】
又、会社は、従業員や後援者のために、それらの施設において音楽、映画、又は音楽ビデオを再生することもできる。後援者は、店で再生されている歌を聴いたときに、（まだ施設にいる間に）歌の名前を思い出し、次いで、購入のための歌のメディアコンテンツを売り出している、例えば、ｉＴｕｎｅｓTMメディアストアのようなオンラインメディアストアの一部分へナビゲートすることができる。しかしながら、このナビゲーションは、特に、後援者が歌の正確な名前を知らないときは、厄介である。又、ある歌には種々のバージョン（例えば、リミックス、ライブバージョン、アコースティックバージョン、クリーンバージョン、エクスプリシットバージョン）があり、ナビゲーションを更に複雑なものにする。ナビゲーションにおけるこれらの複雑さは、後援者にフラストレーションを生じさせ、オンラインメディアストアにおいて希望の歌を探し損ねることになる。このような歌に対する電子商取引（ｅ−コマース）活動、例えば、ダウンロードのためのデジタルバージョンを購入することは、オンラインメディアストアの施設で再生されている特定の歌を探すことが厄介であるとすれば、失敗を招くことになる。
【発明の概要】
【発明が解決しようとする課題】
【０００５】
それ故、オンラインメディアストアにおいてメディア品目を購入又は再検討することでメディア品目を再生する会社の後援者を支援するための改良された解決策が要望される。
【課題を解決するための手段】
【０００６】
本発明は、ポータブル電子装置が所定の位置にある間にポータブル電子装置が位置固有情報を動的にプレゼンテーションできるようにする改良された解決策に関する。一実施形態において、ポータブル電子装置は、位置固有情報を表示できるディスプレイを有すると共に、サーバーから位置固有情報を受け取るのに使用するワイヤレス能力も有する。位置固有情報は、例えば、ディスプレイ上にプレゼンテーションされるべき他の情報を増強することができる。一実施形態において、位置固有情報は、ポータブル電子装置が置かれた店(ストア)のような施設で再生されるメディア品目に関する情報である。
【０００７】
本発明は、方法、システム、デバイス又は装置（コンピュータ読み取り可能なメディア又はグラフィックユーザインターフェイスを含む）を含めて、種々の仕方で具現化することができる。本発明の多数の実施形態を以下に説明する。
【０００８】
施設の後援者にカスタマイズされたデータをプレゼンテーションする方法であって、後援者が施設においてポータブル電子装置を動作し且つワイヤレスネットワークアクセスできるような方法として、本発明の一実施形態は、少なくとも、後援者に関連したポータブル電子装置が所定の施設に置かれているかどうか決定し、そして所定の施設に置かれた後援者に関連したポータブル電子装置からリモートデータサーバーへデータ要求を送信することを含む。データ要求により要求されるデータの少なくとも一部分は、後援者が所定の施設にいると決定されるかどうかに基づく。
【０００９】
店の後援者へカスタマイズされたデータを与えるための方法として、本発明の一実施形態は、少なくとも、店にいる後援者に関連した要求側電子装置から開始されたデータ要求を受信し、店のストア識別子を得、このストア識別子は、データ要求と共に与えられるか又はそれに関連付けられ、店に関連したストアベース情報をストア識別子に基づいて検索し、少なくとも要求されたストアベース情報を含むデータ応答を形成し、そしてそのデータ応答を、後援者に関連した要求側電子装置へ送信することを含む。
【００１０】
店の後援者へカスタマイズされた情報を与えるための方法として、本発明の別の実施形態は、少なくとも、店にいる後援者に関連した要求側電子装置から開始されたデータ要求を受信し、後援者が店にいるかどうか決定し、要求側電子装置へデータ応答を送信することを含み、データ応答は、後援者が店にいると決定された場合に店に関するストアベース情報を含むか又はそれを参照するものである。
【００１１】
グローバルネットワークへのアクセスを与えるローカルワイヤレスネットワークを有するストア位置でユーザに関連したネットワークアクセス可能な電子装置に動的ページをプレゼンテーションする方法として、本発明の一実施形態は、少なくとも、ストア位置にある装置をローカルワイヤレスネットワークにワイヤレス接続し、ストア位置に対するストア識別子を得、装置から、ストア識別子を含むか又はそれを参照するページ要求を使用して、オンラインメディアストアからのページを要求し、オンラインメディアストアのサーバーでページ要求を受信し、ページ要求がストア識別子を含むかどうか決定し、要求ページを検索して、そのページ要求がストア識別子を含まないときにはその要求されたページを装置へ送信し、ページ要求がストア識別子を含むときにはストア識別子に基づいてリモートサーバーからストア関連情報を要求し、そのストア関連情報を受信し、そして要求ページを検索し、要求ページがストア識別子を含むときに要求ページをストア関連情報の観点で変更し、その変更された要求ページを装置へ送信することを含む。
【００１２】
ポータブル電子装置として、本発明の一実施形態は、少なくとも、ディスプレイと、ワイヤレス通信回路と、ポータブル電子装置が施設に置かれているかどうか決定し、そしてポータブル電子装置が施設に置かれているときにその施設に関する情報をディスプレイに表示するように構成されたプロセッサと、を備えている。
【００１３】
施設の後援者に動的データを与えるために少なくとも実行可能なコンピュータプログラムコードが有形に記憶されたコンピュータ読み取り可能なメディアとして、本発明の一実施形態は、少なくとも、施設にいる後援者に関連した要求側電子装置から開始されたデータ要求を受信するためのコンピュータプログラムコードと、施設に対する識別子を得るためのコンピュータプログラムコードであって、この識別子は、データ要求と共に与えられるか又はそれに関連付けられたものであるコンピュータプログラムコードと、施設に関連した施設ベース情報を識別子に基づいて検索するためのコンピュータプログラムコードと、少なくとも要求された施設ベース情報を含むデータ応答を形成するためのコンピュータプログラムコードと、そのデータ応答を、後援者に関連した要求側電子装置へ送信するためのコンピュータプログラムコードとを備えている。
【００１４】
本発明の他の態様及び効果は、本発明の原理を一例として示す添付図面を参照した以下の詳細な説明から明らかとなろう。
【００１５】
本発明は、同じ構造要素が同じ参照番号で示された添付図面を参照した以下の詳細な説明により容易に理解されよう。
【図面の簡単な説明】
【００１６】
【図１】本発明の一実施形態によるメディア配送システムのブロック図である。
【図２】本発明の１つの環境によるページ要求プロセスのフローチャートである。
【図３】本発明の一実施形態によるデータ要求プロセスのフローチャートである。
【図４Ａ】本発明の別の実施形態によるページ要求プロセスのフローチャートである。
【図４Ｂ】本発明の別の実施形態によるページ要求プロセスのフローチャートである。
【図５】本発明の更に別の実施形態によるページ要求プロセスのフローチャートである。
【図６】本発明の一実施形態によるページカスタマイズプロセスのフローチャートである。
【図７】本発明の一実施形態によるナビゲーション構成体の図である。
【図８】本発明の一実施形態による例示的ページを示す図である。
【図９Ａ】本発明の一実施形態による現在再生モジュールの図である。
【図９Ｂ】本発明の別の実施形態による現在再生モジュールの図である。
【図１０】本発明の一実施形態によるメディアストアホームページを例示するスクリーンショットである。
【図１１】本発明の一実施形態による最近再生ページを例示するスクリーンショットである。
【図１２】本発明の一実施形態によるメディアストア内部ページを例示するスクリーンショットである。
【図１３】本発明の一実施形態による引換ページを例示するスクリーンショットである。
【図１４（ａ）】本発明の一実施形態によるポータブル電子メディアストアグラフィックユーザインターフェイスのブロック図である。
【図１４（ｂ）】本発明の一実施形態によるメディアストアナビゲーションディスプレイパネルを例示するブロック図である。
【図１４（ｃ）】本発明の一実施形態によるフューチャードアーチストディスプレイパネルを例示するブロック図である。
【図１４（ｄ）】本発明の一実施形態によるメディアブラウザディスプレイパネルを例示するブロック図である。
【図１４（ｅ）】本発明の一実施形態による装置コントロールパネルを例示するブロック図である。
【図１５（ａ）】本発明の一実施形態によるポータブル電子メディアストアグラフィックユーザインターフェイスのブロック図である。
【図１５（ｂ）】本発明の一実施形態によるメディアストアナビゲーションディスプレイパネルを例示するブロック図である。
【図１５（ｃ）】本発明の一実施形態によるフューチャードアーチストディスプレイパネルを例示するブロック図である。
【図１５（ｄ）】本発明の一実施形態によるメディアブラウザディスプレイパネルを例示するブロック図である。
【図１５（ｅ）】本発明の一実施形態による装置コントロールパネルを例示するブロック図である。
【図１５（ｆ）】本発明の一実施形態による装置コントロールパネルと装置コントロールパネルとの間の遷移を例示するブロック図である。
【図１６（ａ）】本発明の一実施形態によるエンハンストポータブル電子メディアストアユーザインターフェイスのブロック図である。
【図１６（ｂ）】本発明の一実施形態による「現在再生」ディスプレイパネルを例示するブロック図である。
【図１６（ｃ）】本発明の一実施形態による「最近再生された歌」ディスプレイパネルを例示するブロック図である。
【図１６（ｄ）】本発明の一実施形態による装置コントロールパネルを例示するブロック図である。
【図１７】本発明の一実施形態によるポータブルメディア装置メディアストア購入インターフェイスを示す図である。
【図１８】本発明の一実施形態によるポータブルメディア装置メディアストアブラウズ及び試写インターフェイスを示す図である。
【図１９】本発明の一実施形態によるポータブルメディア装置グラフィックユーザインターフェイスツリーを示す図である。
【図２０】ディスプレイパネル及び装置コントロールパネルの特定の組合せのスクリーンショットである。
【図２１】ディスプレイパネル及び装置コントロールパネルの特定の組合せのスクリーンショットである。
【図２２】ディスプレイパネル及び装置コントロールパネルの特定の組合せのスクリーンショットである。
【図２３】ディスプレイパネル及び装置コントロールパネルの特定の組合せのスクリーンショットである。
【図２４】ディスプレイパネル及び装置コントロールパネルの特定の組合せのスクリーンショットである。
【図２５】ディスプレイパネル及び装置コントロールパネルの特定の組合せのスクリーンショットである。
【図２６】ディスプレイパネル及び装置コントロールパネルの特定の組合せのスクリーンショットである。
【図２７】ディスプレイパネル及び装置コントロールパネルの特定の組合せのスクリーンショットである。
【図２８】本発明の一実施形態による移動マルチファンクション装置のブロック図である。
【発明を実施するための形態】
【００１７】
本発明は、ポータブル電子装置が所定の位置にある間にポータブル電子装置が位置固有情報を動的にプレゼンテーションできるようにする改良された解決策に関する。一実施形態において、ポータブル電子装置は、位置固有情報を表示できるディスプレイを有すると共に、サーバーから位置固有情報を受け取るのに使用するワイヤレス能力も有する。位置固有情報は、例えば、ディスプレイ上にプレゼンテーションされるべき他の情報を増大することができる。一実施形態において、位置固有情報は、ポータブル電子装置が置かれたストアのような施設で再生されるメディア品目に関する情報である。
【００１８】
本発明の実施形態は、図１から２８を参照して以下に説明する。しかしながら、当業者であれば、これら図面を参照してここに述べる詳細な説明は、本発明がこれらの限定された実施形態を越えて拡張するので、単なる例示に過ぎないことが容易に明らかであろう。
【００１９】
図１は、本発明の一実施形態によるメディア配送システム１００のブロック図である。メディア配送システム１００は、データネットワーク１０４に結合されるオンラインメディアストアサーバー１０２を備えている。オンラインメディアストアは、デジタルメディアアセット（例えば、メディア品目）を購入、レンタル、試写、等のために売り出すことができる。オンラインメディアストアの一例は、カリフォルニア州クパーティーノのアップル社により運営されているｉＴｕｎｅｓTMメディアストアである。データネットワーク１０４は、パブリック又はプライベートであるだけでなくワイヤード又はワイヤレスでもある１つ以上のネットワークを含むことができる。又、メディア配送システム１００は、ストア位置１０６における装置と、中央ストアサーバー１０８と、地域キャッシュサーバー１１０も備えており、これらも各々データネットワーク１０４に結合することができる。メディア配送システム１００は、単一のストア位置、即ちストア位置１０６しか示していないが、メディア配送システム１００は、典型的に、異なる地理的位置における複数の異なるストア位置をサポートすることを理解されたい。
【００２０】
オンラインメディアストアサーバー１０２は、デジタルメディアアセットを取得（例えば、購入）できるところのオンラインメディアストアのホストである。デジタルメディアアセットを取得する際に、購入されるデジタルメディアアセットのためのメディアコンテンツを、購入者へ配送することができる。より詳細には、メディアコンテンツは、ユーザに関連した電子装置（メディア装置）へ配送することができる。１つのシナリオにおいて、購入者は、ポータブル電子装置のような電子装置を使用して、ストア位置１０６からオンラインメディアストアサーバー１０２と対話する。このようなケースでは、デジタルメディアアセットのメディアコンテンツを、購入者がストア位置１０６にいる間に購入者に関連した電子装置へ配送することができる。
【００２１】
ストア位置１０６は、ワイヤレスネットワーク１１２及びストアキャッシュサーバー１１４を備えている。ワイヤレスネットワーク１１２及び／又はストアキャッシュサーバー１１４は、データネットワーク１０４に結合することができる。更に、ストア位置１０６において、１つ以上のメディア装置１１６及び１１８をワイヤレスネットワーク１１２に結合することができる。ワイヤレスアクセスネットワーク１１０は、例えば、第１のストア１０４に一般的に関連したローカルエリアワイヤレスネットワークである。ローカルエリアワイヤレスネットワークの１つの特定例は、ＷｉＦｉネットワークである。従って、ワイヤレス通信をサポートするポータブル電子装置を有するストア位置１０６の後援者は、データネットワーク１０８及びワイヤレスアクセスネットワーク１１２によりオンラインメディアストアサーバー１０２と通信することができる。このようにする際に、後援者は、オンラインメディアストアサーバー１０２により取得（例えば、購入、レンタル、等）のために売り出されるメディア品目に関するメディアコンテンツを購入又は取得することができる。
【００２２】
典型的に、メディア装置１１６及び１１８は、ストア位置１０６を訪れる個人（後援者）に関連したポータブル電子装置である。メディア装置１１６及び１１８がストア位置１０６内にあるときには、電子装置は、それらがワイヤレス通信をサポートすると仮定すれば、ストア位置１０６に関連したワイヤレスネットワーク１１２にアクセスすることができる。従って、メディア装置１１６及び１１８は、ワイヤレスネットワーク１１２及びデータネットワーク１０４によりオンラインメディアストアサーバー１０２へ通信することができる。メディア装置１１６及び１１８の一方のユーザがオンラインメディアストアサーバー１０２からデジタルメディアアセットを購入する場合には、その購入されるデジタルメディアアセットに関連したメディアコンテンツを、ユーザに関連したメディア装置１１６又は１１８に配送することができる。
【００２３】
一実施形態において、中央ストアサーバー１０８は、ストア位置１０６にあるストアキャッシュサーバー１１４に、おそらく要求されるメディアコンテンツを記憶するように前もって動作する。その結果、購入されるデジタルメディアアセットに対するメディアコンテンツを、ストア位置１０６において、ストアキャッシュサーバー１１４からワイヤレスネットワーク１１２を経て要求側メディア装置１１６又は１１８へローカルに配送することができる。従って、メディアコンテンツの配送は、リモートサーバーからデータネットワーク１０４又はネットワークアクセスリンクによって要求され返送されてネットワークトラフィック又は混雑で悩まされる必要はない。一実施形態では、購入されたデジタルメディアアセットは、ストアキャッシュサーバー１１４から直接配送することができる。別の実施形態では、購入されたデジタルメディアアセットは、オンラインメディアストア１０２又は他のリモートサーバーから配送することができる。
【００２４】
又、ストア位置１０６は、メディアプレイシステム１２０もサポートすることができる。このメディアプレイシステム１２０もデータネットワーク１０４に結合することができる。データネットワーク１０４に結合されることで、中央ストアサーバー１０８は、ストア位置１０６にあるメディアプレイシステム１２０のオペレーションを管理するように動作できる。一実施形態では、メディアプレイシステム１２０は、ストア位置１０６においてメディア品目を再生するように動作する。例えば、メディアプレイシステム１２０は、従業員及び後援者のためにストア位置１０６において歌及び／又はビデオを再生することができる。中央ストアサーバー１０８は、ストア位置１０６において再生されるべきメディア品目を中心的に管理することができる。一実施形態では、メディアプレイシステム１２０により再生されるメディア品目は、オンラインメディアストアサーバー１０２により購入のために売り出されるメディア品目でもある。
【００２５】
ストア位置１０６におけるネットワークコンポーネントは、ネットワークアクセスリンク１２２を経てデータネットワーク１０４に結合することができる。ネットワークアクセスリンク１２２は、データネットワーク１０４への専用線（例えば、Ｔ１ライン）のような共有ネットワークアクセスリソースである。ワイヤレスネットワーク１１２、ストアキャッシュサーバー１１４及びメディアプレイシステム１２０は、ネットワークアクセスリンク１２２を経てデータネットワーク１０４にアクセスすることができる。
【００２６】
１つの使用シナリオの一例として、ストア位置１０６にいるユーザは、メディアプレイシステム１２０により再生されているメディア品目を聞いて、メディア品目の購入のためにオンラインメディアストアサーバー１０２と対話するよう選択することができる。従って、メディア装置１１６のユーザが、ストア位置１０６にいる間に、オンラインメディアストアサーバー１０２からこのようなメディア品目を購入するよう要求するとすれば、その購入されるメディア品目のメディアコンテンツをメディア装置１１６へ配送することができる。
【００２７】
一実施形態において、ストアキャッシュサーバー１１４へ配送されて記憶されるべきメディア品目のメディアコンテンツは、地域キャッシュサーバー１１０から得ることができる。地域キャッシュサーバー１１０は、ストア位置１０６から遠隔配置されるが、ストア位置１０６と同様の地域又は都市エリア内にある。従って、ストアキャッシュサーバー１１４へのメディアコンテンツの配送は、地域キャッシュサーバー１１０を効率的に利用してメディアコンテンツ配送のためのサーバー負荷を軽減又は分配することができる。又、地域キャッシュサーバー１１０は、エッジサーバーと称することもできる。
【００２８】
メディア配送システム１００は、図１では、ストア位置１０６に１つのストアを有するものとして示されているが、メディア配送システム１００は、１つ以上のストアに使用するのに適していることを理解されたい。典型的に、特定の小売商は、異なる地理的位置に複数の小売店を有する。全てのストアがグローバルパブリックネットワークのようなデータネットワークに結合された状態で、中央ストアサーバー１０８は、複数の小売店のいずれかで再生されるメディアを管理することができる。その結果、これら種々の小売店は、その後援者が、ストア位置にいる間にリモートオンラインメディアストアへワイヤレスでアクセスできるようにする。
【００２９】
一実施形態では、ストアにおけるネットワーク又はネットワークインフラストラクチャー（例えば、ＷｉＦｉワイヤレスネットワーク）は、グローバルネットワークへのアクセスを容易にすると共に、電子装置がストア内にあるかどうかについて別の装置（例えば、電子装置及び／又はサーバー）に通知することができる。他の種々の仕方を使用し、位置技術（例えば、ＧＰＳ、三角法ナビゲーション、又は局地的ビーコン）を使用して、電子装置がストア内にあるかどうか決定することができる。
【００３０】
図２は、本発明の１つの環境に基づくページ要求プロセス２００のフローチャートである。ページ要求プロセス２００は、クライアント装置により遂行される。クライアント装置は、電子装置、即ちポータブル電子装置である。例えば、クライアント装置は、図１に示されたメディア装置Ａ１１６又はメディア装置Ｂ１１６である。
【００３１】
ページ要求プロセスは、判断２０２で開始することができる。判断２０２では、ページ要求をリモートサーバーへ発行すべきかどうか決定することができる。例えば、リモートサーバーは、図１に示されたオンラインメディアストアサーバー１０２に関するものである。判断２０２で、ページ要求をリモートサーバーへ行うべきでないと決定されると、他の処理を任意に遂行することができる（２０４）。遂行される他の処理２０４は、クライアント装置において利用できる他の種々の特徴、アプリケーション又はモジュールに関連付けることができる。ブロック２０４に続いて、ページ要求プロセス２００は、判断２０２を繰り返すように復帰することができる。
【００３２】
判断２０２でページ要求がリモートサーバーへなされたと決定すると、判断２０６で、クライアント装置がストア内にあるかどうか決定することができる。クライアント装置が特定のストア内にあるかどうか決定するのに利用できる種々の異なる技術がある。１つの具現化では、ストアで利用できるローカルネットワークは、クライアント装置がローカルエリアネットワーク（例えば、ワイヤレスネットワーク１１２）にアクセスするときにクライアント装置にストア識別子を与え、これにより、クライアント装置が、現在、ストア識別子で識別された特定のストアにあることを装置に知らせることができる。例えば、ストアキャッシュサーバー１１４は、クライアント装置へ送信されている応答ヘッダにストア識別子を添付するように動作することができる。
【００３３】
判断２０６で装置がストア内にあると決定すると、ストアベース情報を伴うページ要求を送信することができる（２０８）。この要求は、１つ以上のネットワークを経てリモートサーバーへ送信される（２０８）。他方、判断２０６でクライアント装置がストアにないと決定すると、ストアベース情報なしのページ要求を送信することができる（２１０）。この要求は、１つ以上のネットワークを経てリモートサーバーへ送信することができる（２１０）。ブロック２０８及び２１０に続いて、判断２１２で、要求ページが受け取られたかどうか決定する。ここで、ページ要求プロセス２００は、リモートサーバーから要求ページを受け取るのを待機する。しかしながら、図１を参照すれば、要求ページは、オンラインメディアストアサーバー１０２から返送できるだけでなく、ストアキャッシュサーバー１１４又は地域キャッシュサーバー１１０のようなキャッシュサーバーからも返送できることを認識すべきである。判断２１２で要求ページが受け取られたと決定すると、要求ページをクライアント装置にプレゼンテーションすることができる（２１４）。典型的に、クライアント装置は、ディスプレイを備え、要求ページをディスプレイに表示することができる。従って、要求ページは、グラフィックユーザインターフェイス（例えば、ディスプレイスクリーン）をなすことができる。
【００３４】
クライアント装置がストア内にあるかどうかに基づいて、表示される要求ページは、ストアベース情報を表示してもしなくてもよい。又、ストアベース情報は、これが与えられるときには、典型的に、要求ページの一部分に過ぎない。ブロック２１４に続いて、ページ要求プロセス２００は、判断２０２及びその後のオペレーションを繰り返すように復帰でき、付加的なページ要求を同様に処理することができる。
【００３５】
図３は、本発明の一実施形態によるデータ要求プロセス３００のフローチャートである。データ要求プロセス３００は、サーバーにより遂行される処理である。例えば、サーバーは、図１に示されたオンラインメディアストアサーバー１０２のようなオンラインメディアストアサーバーである。
【００３６】
データ要求プロセス３００は、判断３０２で開始することができる。判断３０２は、データ要求が受け取られたかどうか決定する。判断３０２で、データ要求が受け取られなかったと決定すると、サーバーにより他の処理を任意に遂行することができる（３０４）。他の処理３０４は、例えば、オンラインメディアストアサーバーによりホストされるオンラインメディアストアで入手できるメディア品目をブラウズ、サーチ、試写又は購入する要求のような、種々の他の異なる形式のデータ又は情報要求である。ブロック３０４に続いて、データ要求プロセス３００は、判断３０２を繰り返すように復帰する。
【００３７】
判断３０２で、データ要求が受け取られたと決定すると、要求側電子装置（例えば、コンピューティング装置）の位置に関連したストア識別子を得ることができる（３０６）。例えば、１つの具現化では、ストア識別子は、データ要求と共に与えることができ、従って、データ要求から得ることができる（３０６）。次いで、ストアに関連したストアベース情報を、ストア識別子に基づき検索することができる（３０８）。１つの具現化では、ストア識別子に関連した特定のストアに対するストアベース情報を、図１に示された中央ストアサーバー１０８のような種々のストアに対する情報を記憶又は管理するサーバーから検索することができる（３０８）。次いで、少なくともストアベース情報を含むデータ応答を形成することができる（３１０）。データ応答は、次いで、要求側電子装置へ送信することができる（３１２）。ブロック３１２に続いて、データ要求プロセス３００は、判断３０２及びその後のブロックを繰り返すように復帰し、その後のデータ要求を同様に処理することができる。
【００３８】
ページ要求プロセス２００又はデータ要求プロセス３００により要求され又は受け取られるストアベース情報は、具現化により変化し得る。ストアベース情報の一例は、特定のストアに関連したメディアプレイ情報である。ストアベース情報は、例えば、ストアにおいて再生される特定のメディア品目（例えば、歌、映画、音楽ビデオ、等）を指示することができる。クライアント装置は、特定のメディア品目に関連したグラフィックユーザインターフェイスをプレゼンテーションすることができる。グラフィックユーザインターフェイスは、特定のメディア品目に関する記述情報を表示することができる。例えば、歌の場合には、記述情報は、アーチスト、アルバム、及び歌の題名を含むことができる。又、グラフィックユーザインターフェイスは、メディア品目を再検討又は購入するための付加的な関連情報へのナビゲーションを容易にすることもできる。
【００３９】
図４Ａ及び４Ｂは、本発明の一実施形態によるページ要求プロセス４００のフローチャートである。ページ要求プロセス４００は、例えば、ワイヤレスネットワーク能力及びディスプレイスクリーンを有するメディア装置又は他の電子装置のようなクライアント装置により遂行される。一実施形態では、クライアント装置は、ワイヤレスデータ能力を有するポータブルコンピューティング装置（例えば、ラップトップコンピュータ）である。別の実施形態では、クライアント装置は、ワイヤレスボイス及びワイヤレスデータ能力を有する移動電話である。
【００４０】
ページ要求プロセス４００は、ワイヤレスネットワークが利用できるかどうか決定する判断４０２で開始することができる。ワイヤレスネットワークは、一般に、ストアの位置に匹敵する。その結果、クライアント装置に対してワイヤレスネットワークを利用できることは、クライアント装置（ひいては、そのユーザ）がストアに物理的に存在するという指示として働くことができる。他方、ワイヤレスネットワークがクライアント装置に対して利用できないときには、クライアント装置（ひいては、そのユーザ）がストアに物理的にいないという指示として働くことができる。
【００４１】
判断４０２で、ワイヤレスネットワークがクライアント装置に対して利用できると決定すると、判断４０４は、メディア管理アプリケーションが起動されたかどうか決定することができる。判断４０４で、メディア管理アプリケーションが起動されていないと決定すると、判断４０６は、ネットワークブラウザが起動されたかどうか決定することができる。判断４０６で、ネットワークブラウザが起動されていないと決定すると、ページ要求プロセス４００は、判断４０２を繰り返すように復帰する。従って、ページ要求プロセス４００による更なる処理には、メディア管理アプリケーション又はネットワークブラウザのいずれかの起動を必要とする。メディア管理アプリケーションの一例は、カリフォルニア州クパーティーノのアップル社から入手できるｉＴｕｎｅｓTMアプリケーションプログラムである。ネットワークブラウザの一例は、カリフォルニア州クパーティーノのアップル社から入手できるＳａｆａｒｉTMネットワークブラウザである。
【００４２】
判断４０６で、ネットワークブラウザが起動したと決定すると、判断４０８は、オンラインストア（例えば、オンラインメディアストア）へナビゲートすべきかどうか決定することができる。判断４０８で、ネットワークブラウザ（又はそのユーザ）がオンラインストアへナビゲートするよう試みないと決定したときは、ある承認されたネットワーク行先しかアクセスできないように、ナビゲーションを限定することができる（４１２）。ここで、一実施形態によれば、ネットワークブラウザにより利用されるワイヤレスネットワークは、承認されていないネットワーク行先にネットワークブラウザがアクセスする能力を制限することができる。例えば、ページ要求プロセス４００は、承認されたネットワークアドレスのセットにリストされたネットワークアドレスにしかネットワークブラウザがアクセスできないようにすることができる。承認されていない他のネットワーク行先にアクセスする試みは、制限することができる（４１０）。例えば、ネットワークアクセスは、未払いのユーザについては阻止することができ、支払ったユーザについては許すことができる。
【００４３】
他方、判断４０４でメディア管理アプリケーションが起動したと決定し、又は判断４０８でアクセスが承認されたオンラインストアへナビゲートするためにネットワークブラウザが利用されたと決定したときには、ページ要求プロセス４００を継続することができる。特に、ページ要求プロセス４００が継続するときには、オンラインストアページ要求を送信することができる（４１２）。ここで、オンラインストアページ要求は、オンラインストアをホストするオンラインメディアストアサーバーのようなサーバーへ送信することができる（４１２）。オンラインストアページ要求は、オンラインストアから入手できる情報を要求する。更に、ストア識別子を、オンラインストアページ要求と共に又はそれに関連して送信することができる（４１４）。
【００４４】
判断４１６は、要求されたページが受け取られたかどうか決定する。判断４１６で、要求されたページが受け取られなかったと決定すると、ページ要求プロセス４００は、要求されたページを待機することができる。他方、判断４１６で、要求されたページが受け取られたと決定すると、要求されたページを表示することができる（４１８）。
【００４５】
次いで、判断４２０は、別のオンラインストアページ要求が受け取られたかどうか決定する。判断４２０で、別のオンラインストアページ要求が受け取られたと決定すると、ページ要求プロセス４００は、ブロック４１２及びその後のブロックを繰り返すように復帰し、他のオンラインストアページ要求を同様に処理することができる。ここでは、別のオンラインストアページ要求が、同じオンラインストアに対するものであり、従って、まだ改善されたネットワーク行先であると仮定する。他方、判断４２０で、別のオンラインストアページ要求が受け取られなかったと決定すると、判断４２２は、購入要求が受け取られたかどうか決定する。判断４２２で、購入要求が受け取られなかったと決定すると、判断４２０を繰り返すように復帰する前に、他の処理を任意に遂行することができる（４２４）。他の処理は、表示される要求ページ（４１８）に対して遂行できる他のアクションである。
【００４６】
他方、判断４２２で、購入要求が受け取られたと決定すると、購入される１つ以上の品目を処理することができる（４２８）。次いで、購入された品目に関連したメディアコンテンツを装置へダウンロードすることができる（４３０）。使用されるクライアント装置の形式に基づいて、購入できる幾つかの品目は、クライアント装置において使用可能であってもよいし、そうでなくてもよい。従って、一実施形態では、購入されたがダウンロードが非常に厄介であるか又はクライアント装置において有用でない品目は、クライアント装置へ配送（例えば、ダウンロード）されない。一実施形態では、クライアント装置へ配送されないそのような品目は、要求者（購入者）に関連した別の装置へ後で配送することができる。
【００４７】
次いで、判断４３４は、ページ要求プロセス４００を停止すべきかどうか決定する。判断４３４でページ要求プロセス４００を停止すべきでないと決定すると、ページ要求プロセス４００は、ブロック４１２及びその後のブロックを繰り返すように復帰することができる。他方、判断４３４でページ要求プロセス４００を停止すべきと決定すると、ページ要求プロセス４００を終了することができる。
【００４８】
図５は、本発明の一実施形態によるページ応答プロセス５００のフローチャートである。ページ応答プロセス５００は、例えば、サーバーにより遂行される。例えば、サーバーは、図１に示されたオンラインメディアストアサーバー１０２のようなオンラインメディアストアサーバーである。
【００４９】
ページ応答プロセス５００は、ページ要求が要求者から受け取られたかどうか決定する判断５０２で開始することができる。判断５０２で、ページ要求が受け取られていないと決定すると、ページ応答プロセス５００は、このような要求を待機することができる。判断５０２で、ページ要求が要求者から受け取られたと決定すると、判断５０４は、ストア識別子がその要求に関連しているかどうか決定することができる。この点に関して、ページ要求それ自体がストア識別子を直接含むこともできるし、又はページ要求がストア識別子を間接的に参照することもできる。ストア識別子は、要求者（即ち、要求者により使用されるクライアント装置）が位置する特定のストアの識別である。
【００５０】
判断５０４で、ページ要求にストア識別子が関連していると決定すると、ストア識別子を使用してストアに関連したストアベース情報を要求することができる（５０６）。一実施形態では、ストアのためのストアベース情報は、図１に示された中央ストアサーバー１０８のようなサーバーから要求される。次いで、判断５０８は、ストアベース情報が受け取られたかどうか決定する。判断５０８で、ストアベース情報が受け取られたと決定すると、要求ページが少なくともストアベース情報を含むか又はそれを参照するようにして、要求ページを形成することができる（５１０）。
【００５１】
或いは又、判断５０８でストアベース情報が受け取られないと決定すると、ページ応答プロセス５００は、ストアベース情報が現在得られないと仮定し、従って、ストアベース情報なしに要求ページを形成する（５１２）。又、判断５０４で、ページ要求にストア識別子が関連していないと決定すると、ページ応答プロセス５００は、要求ページをストアベース情報なしに形成することができる（５１２）。ブロック５１０又はブロック５１２に続いて、ページ応答プロセス５００は、要求ページを要求者へ送信する（５１４）ように動作することができる。要求ページが送信された（５１４）後に、ページ応答プロセス５００は、判断５０２及びその後のブロックを繰り返すように復帰して、その後のページ要求を同様に処理することができる。
【００５２】
ページ応答プロセス５００において、ページが要求者へ返送される。一実施形態では、要求者へ返送されるページは、要求者により使用されるクライアント装置に表示することができる。要求者が、ストアベース情報のモニタリングをサポートする特定ストアにいる場合には、表示されるページは、ストアベース情報及び他のコンテンツを含むことができる。例えば、ストアベース情報は、ストアにおいて再生される１つ以上の品目に関連し、そして他のコンテンツは、オンラインメディアストアで購入するために得られる１つ以上のメディア品目に関する情報である。或いは又、要求者が、ストアベース情報のモニタリングをサポートするストアにいない場合には、表示されるページは、ストアベース情報なしに他のコンテンツを含むことができる。
【００５３】
別の実施形態では、サーバーは、クライアント装置がストア内にあるかどうか評価し、そしてクライアント装置へ配送されるべき適当なページを形成（例えば、選択、発生）することができる。対照的に、上述した他の実施形態では、クライアント装置は、それがストア内にあることを理解し、そしてサーバーから適当なページ（データ）を要求する。いずれの場合にも、ストアベース情報をクライアント装置へ配送することができ、このクライアント装置がストアベース情報を使用してグラフィックユーザインターフェイス（又はディスプレイスクリーン）をプレゼンテーションすることができる。
【００５４】
図６は、本発明の一実施形態によるページカスタマイズプロセス６００のフローチャートである。ページカスタマイズプロセス６００は、例えば、オンラインメディアストアをホストするオンラインメディアストアサーバーのようなサーバーにより遂行される。
【００５５】
ページカスタマイズプロセス６００は、判断６０２で開始することができる。判断６０２は、ページ要求が受け取られたかどうか決定することができる。判断６０２で、ページ要求が受け取られなかったと決定すると、ページカスタマイズプロセス６００は、このような要求を待機することができる。しかしながら、判断６０２で、ページ要求が受け取られたと決定すると、ページカスタマイズプロセス６００は、ページ要求にサービスするための更なる処理を遂行することができる。この点に関して、判断６０２で、ページ要求が受け取られたと決定すると、判断６０４は、ページの要求者がストア内にいるかどうか決定することができる。ここで、要求者（ユーザ）は、ポータブル電子装置のような電子装置（クライアント装置）を動作する。ポータブル電子装置は、そのユーザが種々の異なる位置へ運搬することができる。これらの位置の幾つかにおいて、ポータブル電子装置は、ＷｉＦｉネットワークのようなネットワークへのワイヤレスアクセスを得ることができ、次いで、グローバルネットワーク（例えば、インターネット）へのアクセスを得ることができる。このようなケースでは、ページカスタマイズプロセス６００の判断６０４は、要求者、即ち要求者により使用される電子装置がストア内にあるかどうか決定することができる。電子装置がストア内にある場合には、ポータブルコンピューティング装置がストア内のローカルネットワークへワイヤレスアクセスすると仮定することができる。一実施形態では、ストアにおけるネットワーク又はネットワークインフラストラクチャー（例えば、ＷｉＦｉワイヤレスネットワーク）は、グローバルネットワークへのアクセスを容易にし、そして電子装置がストア内にあるかどうかについて別の装置（例えば、電子装置及び／又はサーバー）に通知することもできる。他の種々の仕方を使用し、位置技術（例えば、ＧＰＳ、三角法ナビゲーション、又は局地的ビーコン）を使用して、電子装置がストア内にあるかどうか決定することができる。
【００５６】
判断６０４で、要求者（電子装置）がストア内にいると決定すると、ストアベース情報を含むページを形成することができる（６０６）。一実施形態では、ページは、その普通のコンテンツ（デフォールトコンテンツ）を有し、そしてストアベース情報は、ページに含まれる付加的なコンテンツである。或いは又、判断６０４で、要求者（電子装置）がストア内にいないと決定すると、ストアベース情報を含まずにページを形成することができる（６０８）。従って、一実施形態では、形成される（６０８）ページは、普通のコンテンツしか含まない。
【００５７】
ブロック６０６及び６０８に続いて、形成されたページを、要求者に関連したクライアント装置へ送信することができる（６１０）。ブロック６１０に続いて、判断６１２は、ページカスタマイズプロセス６００を停止すべきかどうか決定することができる。判断６１２で、ページカスタマイズプロセス６００を停止すべきでないと決定すると、ページカスタマイズプロセス６００は、判断６０２及びその後のブロックを繰り返すように復帰して、別のページ要求を同様に処理することができる。或いは、判断６１２で、ページカスタマイズプロセス６００を停止すべきと決定すると、ページカスタマイズプロセス６００を終了することができる。
【００５８】
ここで使用するページとは、ディスプレイ装置にプレゼンテーションすることのできるグラフィックユーザインターフェイス又はディスプレイスクリーンを指す。
【００５９】
本発明の１つの態様によれば、ストア固有情報のような位置固有情報を、施設に存在する間にコンピューティング装置に関連したディスプレイにプレゼンテーションすることができる。位置固有情報は、コンピューティング装置のディスプレイに提示されるスクリーン又はページのようなグラフィックユーザインターフェイスとしてプレゼンテーションすることができる。ポータブルコンピューティング装置は、例えば、ポータブルコンピュータ（例えば、ノートブック又はラップトップコンピュータ）、パーソナルデジタルアシスタント、又は移動通信装置のような、ディスプレイを有するポータブル電子装置である。
【００６０】
図７から１３は、ディスプレイにプレゼンテーションすることのできる１つの具現化に基づくページのようなグラフィックユーザインターフェイス関する。図７から１３に示すグラフィックユーザインターフェイスは、スクリーン面積が１０ｘ１０ｃｍ（又は約４”ｘ４”）より大きいディスプレイに特に適しているが、これは、必要なことではない。
【００６１】
図７は、本発明の一実施形態によるナビゲーション構成体７００の図である。ナビゲーション構成体７００は、ポータブルコンピュータのようなコンピューティング装置に関連したページ（又はスクリーン）のハイアラーキーを通るナビゲーションに関する。コンピューティング装置のユーザが施設に位置しているとき、コンピューティング装置を、その施設で利用できるワイヤレスネットワークに接続することができる。ローカルワイヤレスネットワークは、ユーザがインターネットにアクセスするのを許すことができる。上述したように、インターネットへのアクセスは、あるネットワークアドレスに制限することができる。それでも、施設がワイヤレスネットワークアクセスを制御できるので、コンピューティング装置を使用してインターネットにアクセスすることで、施設インターセプトページ７０２を、コンピューティング装置に関連したディスプレイに最初に表示させることができる。施設インターセプトページ７０２は、施設情報を表示できる。施設インターセプトページ７０２から、ユーザは、オンラインメディアストアホームページ７０４にアクセスすることができる。
【００６２】
オンラインメディアストアホームページ７０４は、ユーザが、オンラインメディアストアからデジタルメディアアセットをサーチ、ブラウズ、試写及び／又は購入できるようにする。更に、メディアストアホームページ７０４は、施設において再生されているメディアに関する付加的な情報を与える種々の異なるページへユーザをナビゲートできるようにする現在再生モジュールを含むことができる。特に、メディアストアホームページ７０４から（現在再生モジュールを経て）、ユーザは、最近再生されたページ７０６、現在再生メディア品目のためのアーチストページ７０８、現在再生メディア品目のためのアルバムページ７１０、又は現在再生メディア品目がハイライト状態にされる現在再生メディア品目のためのアルバムページ７１２へナビゲートすることができる。更に、ナビゲーション構成体７００は、カード（例えば、ギフトカード）又は他のストアクレジットを引換(redeem)できる引換ページ７１４へユーザをナビゲートすることができる。例えば、ユーザは、メディアストアホームページ７０４又は最近再生されたページ７０６により引換ページ７１４へナビゲートすることができる。現在再生メディア品目のためのアーチストページ７０８は、オンラインメディアストアにより与えられるアーチストページで、現在再生メディア品目の特定アーチストを記述するアーチストページである。現在再生メディア品目のためのアルバムページ７１０は、オンラインメディアストアにより与えられるアルバムページで、現在再生メディア品目に関連した特定アルバムを記述するアルバムページである。現在再生メディア品目がハイライト状態にされる現在再生メディア品目のためのアルバムページ７１２は、現在再生メディア品目に関連した特定のアルバムを記述するだけでなく、トラックリストにおける現在再生メディア品目もハイライト状態で指示する。
【００６３】
又、メディアストアホームページ７０４から、ユーザは、メディアストア内部ページ７１６へナビゲートすることもできる。メディアストア内部ページは、オンラインメディアストアにより生成されるページに関連付けられる。メディアストア内部ページ７１６は、上述したページ７０６−７１４へのユーザ遷移を容易にする現在再生モジュールを含むことができる。
【００６４】
図８は、本発明の一実施形態による例示的ページ８００を示す図である。例示的ページ８００は、例えば、図７に示すナビゲーション構成体７００に関して上述したいずれかのページとして使用するのに適している。例示的ページ８００は、現在再生モジュール８０２、テキスト部分８０４、及びグラフィック部分８０６を含む。従って、現在再生モジュール８０２は、図７を参照して上述した種々のページのいずれかにページ（又はスクリーン）の一部分を表すことができる。現在再生モジュール８０２は、具現化に基づいて変化するサイズ、構成及び配置を有する。現在再生モジュール８０２は、オンラインメディアストアから得られるストアベース情報へのより多くのリンク及び情報を含むことができる。テキスト部分８０４及びグラフィック部分８０６は、施設に関する情報、又はオンラインメディアストアから得られる１つ以上のデジタルメディアアセットに関する情報を含むことができる。
【００６５】
一実施形態では、例示的ページ８００は、コンピューティング装置が施設にある間に、コンピューティング装置に表示するのに利用できる。従って、コンピューティング装置が施設にあるときに、例示的ページ８００をコンピューティング装置のユーザにプレゼンテーションすることができる。この点に関して、１つの具現化では、例示的ページ８００をコンピューティング装置へ与えるリモートサーバーは、現在再生モジュール８０２が含まれるかどうか制御することができる。別の具現化では、コンピューティング装置は、現在再生モジュール８０２が含まれるかどうか制御することができる。例えば、コンピューティング装置に与えられるページは、現在再生モジュール８０２に対する「コンディションインクルード(condition include)」ステートメントを含むことができ、ここで、コンピューティング装置が施設内にある場合には、コンディションが真を保持し、そして「インクルード(include)」ステートメントは、現在再生モジュール８０２を検索し表示するように処理される。
【００６６】
図９Ａは、本発明の一実施形態による現在再生モジュール９００の図である。現在再生モジュール９００は、施設において現在再生であるチームにされた特定のデジタルメディアアセットに関する。現在再生モジュール９００は、現在再生インジケータ９０２、アーチスト名９０４、アルバム名９０６、及びアルバム映像９０８を含む。アーチスト名９０４、アルバム名９０６、及びアルバム映像９０８は、施設において現在再生であると思われる特定のデジタルメディアアセット（例えば、そのメタデータ）を記述する。現在再生モジュール９００は、更に、最近再生のインジケータ９１０を含むことができ、これは、最近再生のデジタルメディアアセットに対する基準（又はリンク）を与え又は基準として働くことができる。別の実施形態では、現在再生モジュールは、最近再生のデジタルメディアアセットを含む（例えば、リストする）ことができる。
【００６７】
図９Ｂは、本発明の別の実施形態による現在再生モジュール９５０の図である。現在再生モジュール９５０は、現在再生インジケータ９５２、アーチスト名９５４、アルバム名９５６、及び最近再生インジケータ９５８を含む。最近再生インジケータ９５８は、最近再生のデジタルメディアアセットに対する基準（又はリンク）を与え又は基準として働くことができる。現在再生モジュール９５０は、１つの具現化では、ページの僅かなエリアしか消費せずにコンピューティング装置により表示されるべきページ（又はスクリーン）に含ませるのに適したバーの形態で与えられる。
【００６８】
図７−９Ｂを参照して上述した実施形態は、現在再生情報に関するものであるが、これらの図面は、より一般的には、現在再生情報が１つの種類であるところの位置固有情報（又は位置ベース情報）をアクセスするのに適するものであることを理解されたい。
【００６９】
コンピューティング装置を動作しているユーザにページ（又はスクリーン）をプレゼンテーションすべきときに、コンピューティング装置（ひいては、そのユーザ）が、上述したワイヤレスアクセス能力を与える施設に位置する場合には、コンピューティング装置を経てユーザにプレゼンテーションされるページは、位置ベース情報を含むことができる。一実施形態では、位置ベース情報は、ページに含ませることのできるストアベース情報である。１つの具現化において、施設ベース情報（又はストアベース情報）は、その施設における現在再生情報に関する。特定のページへの位置ベース情報の配置は、具現化に基づいて変化し得る。
【００７０】
図１０は、本発明の一実施形態によるメディアストアホームページ１０００を例示するスクリーンショットである。メディアストアホームページ１０００は、例えば、図７に示されたメディアストアホームページ７０４として使用するのに適している。メディアストアホームページ１０００は、選択のために得られる複数の異なるメディアソースのうちの特定の１つを指定するメディアソース領域１００２を含む。図１０に示すように、メディアソースとしてのオンラインメディアストア（リモート位置にある）の選択を指示するために「ｉＴｕｎｅｓストア」ソースがハイライトされている（１００４）。メディア領域１００６は、オンラインメディアストアから得られる複数のメディア品目に関する情報を表示する。更に、本発明の一実施形態によれば、メディアストアホームページ１０００は、現在再生モジュール１００８を含むことができる。この例では、現在再生モジュール１００８は、図９Ａに示された現在再生モジュール９００の具現化を表す。
【００７１】
図１１は、本発明の一実施形態による最近再生ページ１１００を例示するスクリーンショットである。最近再生ページ１１００は、例えば、図７に示された最近再生ページ７０６として使用するのに適している。又、最近再生ページ１１００は、最近再生情報だけでなく、現在再生情報も含むので、現在再生ページと称することもできる。最近再生ページ１１００は、選択のために得られる複数の異なるメディアソースのうちの特定の１つを指定するメディアソース領域１１０２を含む。図１１に示すように、メディアソースとしてのオンラインメディアストア（リモート位置にある）の選択を指示するために「ｉＴｕｎｅｓストア」ソースがハイライトされている（１１０４）。最近再生ページ１１００には現在再生領域１１０６及び最近再生リスト領域１１０８もプレゼンテーションされる。現在再生領域１１０６及び最近再生リスト領域１１０８は、施設（例えば、スターバックス）において現在再生中のメディアコンテンツに関する詳細なスクリーンへユーザがナビゲートしたことを指示するナビゲーションタブ１１１０に関連付けられる。現在再生領域１１０６は、現在再生インジケータ１１１２と、施設において現在再生中のメディア品目に関連したアーチスト名１１１４、アルバム名１１１６及び映像１１１８と、を含む。又、現在再生領域１１０６は、引換ページへナビゲーションできるようにする引換リンク１１２０を含むこともできる。最近再生リスト領域１１０８は、施設において最近再生されたメディア品目（例えば、歌）のリスト１１２２を表示する。ユーザは、リスト１１２２からメディアストア内部ページ、例えば、アルバムページ又はアーチストページへナビゲートすることができる。又、ユーザは、オンラインメディアストアからリスト１１２２内のいずれかのメディア品目の購入を開始することもできる。
【００７２】
図１２は、本発明の一実施形態によるメディアストア内部ページ１２００を例示するスクリーンショットである。メディアストア内部ページ１２００は、図７に示されたメディアストア内部ページ７１６として使用するのに適している。メディアストア内部ページ１２００は、選択のために得られる複数の異なるメディアソースのうちの特定の１つを指定するメディアソース領域１２０２を含む。図１２に示すように、メディアソースとしてのオンラインメディアストアの選択を指示するために「ｉＴｕｎｅｓストア」ソースがハイライトされている（１２０４）。メディア領域１２０６は、オンラインメディアストアから入手できる複数のメディア品目に関する情報を表示する。種々の異なる視覚的記述子を使用して、種々のメディア品目を識別することができる。更に、本発明の一実施形態によれば、メディアストア内部ページ１２００は、現在再生モジュール１２０８を含むことができる。この例では、現在再生モジュール１００８は、図９Ｂに示された現在再生モジュール９５０の具現化を表す。現在再生モジュール１２０８は、現在再生インジケータ１２１０と、施設において現在再生中のメディア品目に関連したアーチスト名１２１２及びアルバム名１２１４とを備えている。又、現在再生モジュール１２０８は、最近再生ページ（例えば、図１１に示された最近再生ページ１１００）へナビゲートできるようにする最近再生基準（リンク）１２１６を含むこともできる。
【００７３】
図１３は、本発明の一実施形態による引換ページ１３００を例示するスクリーンショットである。引換ページ１３００は、例えば、図７に示された引換ページ７１４として使用するのに適している。引換ページ１３００は、選択のために得られる複数の異なるメディアソースのうちの特定の１つを指定するメディアソース領域１３０２を含む。図１３に示すように、メディアソースとしてのオンラインメディアストアの選択を指示するために「ｉＴｕｎｅｓストア」ソースがハイライトされている（１３０４）。ナビゲーションタブ１３０６は、ユーザが引換ページへナビゲートしたことを指示する。引換ページ１３００は、ギフトカード、ギフト証明書又は他のコードを引換するためのコードをユーザが入力できるようにする引換領域１３０８を含む。又、引換ページ１３００は、オンラインメディアストアをホストするリモートサーバーのようなリモートサーバーにより処理するために引換コードを提出する引換ボタン１３２０も含む。
【００７４】
図１４（ａ）から２７は、ディスプレイ上にプレゼンテーションできる別の具現化によるページのようなグラフィックユーザインターフェイスに関する。図１４（ａ）から２７に示されたグラフィックユーザインターフェイスは、スクリーンの面積が１０ｘ１０ｃｍ（又は約４”ｘ４”）未満のディスプレイに特に適しているが、これは、必要なことではない。
【００７５】
図１４（ａ）は、本発明の一実施形態によるポータブル電子メディアストアグラフィックユーザインターフェイス１４００のブロック図である。ポータブル電子メディアストアユーザインターフェイス１４００は、ポータブルメディア装置で動作されるメディア管理アプリケーションと対話するのに使用できる。ポータブルメディア装置は、例えば、メディアアセットを再生できる移動電話である。本発明の一実施形態によれば、ポータブル電子メディアストアユーザインターフェイス１４００を経てメディア管理アプリケーションと対話することで、ポータブルメディア装置のユーザは、例えば、セルラー電話ネットワーク又はＷｉＦｉネットワークのようなワイヤレスネットワークを経てオンラインメディアストアにおいて音楽又はビデオファイルのようなメディアアセットを買い物し、購入することができる。本発明の一実施形態では、ポータブル電子メディアストアグラフィックユーザインターフェイス１４００は、高速ワイヤレスネットワーク（例えば、ＷｉＦｉネットワーク）が検出されたときしかアクセス（又は使用）できない。この実施形態では、ユーザがポータブル電子メディアストアユーザインターフェイス１４００を使用するよう試み、そして適当なネットワークが見つからない場合に、ポータブル電子メディアストアユーザインターフェイス１４００は、ユーザにエラーメッセージを表示することができる。
【００７６】
図１４（ａ）において、ポータブル電子メディアストアユーザインターフェイス１４００は、３つのメディアストアディスプレイパネル１４０１を有する。メディアストアディスプレイパネル１４０１は、例えば、対応する個々のメディアアセット又はメディアアセットのグループ（例えば、音楽アルバム又は「新発売」のコレクション）を識別するグラフィック、テキストブロック及び／又はナビゲーションボタンを表示するのに使用できる。本発明の一実施形態において、グラフィック、テキストブロック及び／又はナビゲーションボタンは、いずれも、オンラインメディアストアにおいて購入のために利用できるメディアコンテンツへのリンク（例えば、ハイパーリンク）として機能することができる。更に、メディアストアディスプレイパネル１４０１は、ユーザが表示されたメディアアセットを購入できるようにするための１つ以上のコントロール（例えば、「購入(Purchase)」又は「今購入(Buy Now)」ボタン）を含むことができる。明らかに、メディアストアディスプレイパネル１４０１は、グラフィック、テキストブロック及びナビゲーションボタンの種々の順列及び組合せを使用して具現化することができる。更に、メディアストアディスプレイパネル１４０１は、動的エレメント及び静的エレメントを含むことができる。メディアストアディスプレイパネルにおける動的エレメントは、例えば、フューチャード(featured)音楽アーチストグラフィックのセットを通して循環する間に周期的に変化する動的グラフィック（図示せず）である。
【００７７】
又、ポータブル電子メディアストアユーザインターフェイス１４００は、装置コントロールパネル１４０３も備えている。装置コントロールパネル１４０３は、例えば、ホームボタン又はサーチボタンのような装置コントロールを表示するのに使用できる。メディアストアユーザインターフェイス１４００は、１つの構成例に過ぎず、明らかに、他のユーザインターフェイス構成も考えられる。
【００７８】
メディアストアディスプレイパネル１４０１は、種々様々な形式のものがある。図１４（ｂ）から１４（ｄ）は、３つの考えられるメディアストアディスプレイパネル１４０１を示す。
【００７９】
図１４（ｂ）は、本発明の一実施形態によるメディアストアナビゲーションディスプレイパネル１４１０を例示するブロック図である。メディアストアナビゲーションディスプレイパネル１４１０は、３つのナビゲーションボタン１４１１と共に示されている。ナビゲーションボタン１４１１は、ユーザをメディアアセットコレクションに向けるのに使用される。メディアアセットコレクションは、例えば、トップテンリスト、ジャンルグループ、又は新発売のリストのような、市場に売り出す目的で寄せ集められた音楽アルバム又はメディアアセットコレクション、等のメディアアセットの任意のグループである。
【００８０】
図１４（ｃ）は、本発明の一実施形態によるフューチャードアーチストディスプレイパネル１４２０を例示するブロック図である。フューチャードアーチストディスプレイパネル１４２０は、２つのフューチャードアーチストグラフィック１４２１と共に示されている。これらのフューチャードアーチストグラフィック１４２１は、例えば、特定アーチストの音楽の購入を促進するプロモーショングラフィックである。フューチャードアーチスト１４２１グラフィックは、ユーザをフューチャードアーチストページに向けるために、ユーザによって選択することができる（例えば、マウスを使用してクリックするか、又はタッチ感知スクリーンを使用してタップする）。例えば、フューチャーされた歌、フューチャード音楽ビデオ、又はフューチャードアルバムのように、他のメディアカテゴリーのメディアをフューチャーすることもできる。
【００８１】
図１４（ｄ）は、１つ以上のグラフィック１４３１、例えば、アルバムカバーアート、及び１つ以上のテキストブロック１４３３、例えば、音楽アーチスト名又は音楽アルバム題名を含むメディアブラウザディスプレイパネル１４３０を例示するブロック図である。グラフィック１４３１及びテキストブロック１４３３は、種々様々な仕方で配列することができ、例えば、ブラウジングのためにスクロール可能なリストに配列することができる。或いは又、少数のグラフィック１４３１及び／又はテキストブロック１４３３は、グループ全体を見るためにスクロールする必要がないように目立つやり方でグループ編成することができる。
【００８２】
図１４（ｅ）は、本発明の一実施形態による装置コントロールパネル１４４０を例示するブロック図である。装置コントロールパネル１４４０は、４つの装置コントロール１４４１を含む。装置コントロール１４４１は、ポータブルメディア装置のユーザインターフェイス１４００が実行されるときに基づくところのオンラインメディアストアの機能又はポータブル電子装置の機能にポータブル電子メディアストアユーザインターフェイス１４００のユーザがアクセスできるようにするボタン又はタブを含むことができる。本発明の一実施形態では、装置コントロール１４４１は、装置のユーザを、例えば、サーチページ、トップテンリスト、フューチャード音楽ページ、及びダウンロードキューに向けるボタンを含む。装置コントロールパネルにおけるコントロール１４４１の数は、変化し得る。例えば、付加的なコントロール１４４１は、付加的な機能を伴うネットワークが利用できるときに装置コントロールパネル１４４０に現れる。例えば、エンハンスト機能及び／又はエンハンストコンテンツを売り出す小売店のワイヤレスネットワークのような特定のワイヤレスネットワークを検出した際に、１つ以上の付加的なコントロール１４４１が使用可能となる。
【００８３】
図１５（ａ）は、本発明の一実施形態によるポータブル電子メディアストアグラフィックユーザインターフェイス（ＵＩ）１５００のブロック図である。ポータブルメディア装置メディアストアユーザインターフェイス１５００は、ポータブルメディア装置メディアストアユーザインターフェイス１４００に置き換わるか又はそれを増強することができる。ポータブル電子メディアストアユーザインターフェイスは、ポータブルメディア装置がメディアアセットを購入してダウンロードできるエリアにいることを検出したとき、ポータブルメディア装置のメディア管理アプリケーションと対話するのに使用することができる。例えば、小売店が、顧客により使用できるローカルワイヤレスネットワークを有する場合には、メディアアセットへのアクセスは、建物にいる（即ち、ネットワークに接続されるか又はネットワークの範囲内にいる）間に購入してダウンロードするためにアクセス可能なオンラインメディアストアにおいて得ることができる。本発明の一実施形態では、ポータブルメディア装置がワイヤレスネットワークにいることを検出したときに、ポータブルメディアストアユーザインターフェイス１５００において付加的なオプションを利用することができる。本発明の別の実施形態では、特定の小売施設のネットワークを使用する間に、位置又は施設固有コンテンツ及び機能にアクセスすることができる。
【００８４】
図１５（ａ）において、ポータブル電子メディアストアユーザインターフェイス１５００は、３つのメディアストアディスプレイパネル１５０１を有している。メディアストアディスプレイパネル１５０１は、例えば、対応する個々のメディアアセット又はメディアアセットのグループ（例えば、音楽アルバム又は「新発売」のコレクション）を識別するグラフィック、テキストブロック及び／又はナビゲーションボタンを表示するのに使用できる。本発明の一実施形態において、グラフィック、テキストブロック及び／又はナビゲーションボタンは、いずれも、オンラインメディアストアにおいて購入のために利用できるメディアコンテンツへのリンク（例えば、ハイパーリンク）として機能することができる。更に、メディアストアディスプレイパネル１５０１は、ユーザが表示されたメディアアセットを購入できるようにするための１つ以上のコントロール（例えば、「購入」又は「今購入」ボタン）を含むことができる。明らかに、メディアストアディスプレイパネル１５０１は、グラフィック、テキストブロック及びナビゲーションボタンの種々の順列及び組合せを使用して具現化することができる。更に、メディアストアディスプレイパネル１５０１は、動的エレメント及び静的エレメントを含むことができる。メディアストアディスプレイパネルにおける動的エレメントは、例えば、フューチャード音楽アーチストグラフィックのセットを通して循環する間に周期的に変化する動的グラフィック（図示せず）である。
【００８５】
又、ポータブル電子メディアストアユーザインターフェイス１５００は、装置コントロールパネル１５０３も備えている。装置コントロールパネル１５０３は、例えば、ホームボタン又はサーチボタンのような装置コントロールを表示するのに使用できる。メディアストアユーザインターフェイス１５００は、１つの構成例に過ぎず、明らかに、他のユーザインターフェイス構成も考えられる。
【００８６】
メディアストアディスプレイパネル１５０１は、種々様々な形式のものがある。図１５（ｂ）から１５（ｄ）は、３つの考えられるメディアストアディスプレイパネル１５０１を示す。
【００８７】
図１５（ｂ）は、本発明の一実施形態によるメディアストアナビゲーションディスプレイパネル１５１０を例示するブロック図である。メディアストアナビゲーションディスプレイパネル１５１０は、３つのナビゲーションボタン１５１１と共に示されている。ナビゲーションボタン１５１１は、ユーザをメディアアセットコレクションに向けるのに使用される。メディアアセットコレクションは、例えば、トップテンリスト、ジャンルグループ、又は新発売のリストのような、市場に売り出す目的で寄せ集められた音楽アルバム又はコレクション、等のメディアアセットの任意のグループである。
【００８８】
図１５（ｃ）は、本発明の一実施形態によるフューチャードアーチストディスプレイパネル１５２０を例示するブロック図である。フューチャードアーチストディスプレイパネルは、２つのフューチャードアーチストグラフィック１５２１と共に示されている。これらのフューチャードアーチストグラフィック１５２１は、例えば、特定アーチストの音楽の購入を促進するプロモーショングラフィックである。フューチャードアーチスト１５２１グラフィックは、ユーザをフューチャードアーチストページに向けるために、ユーザによって選択することができる（例えば、マウスを使用してクリックするか、又はタッチ感知スクリーンを使用してタップする）。例えば、フューチャーされた歌、又はフューチャードアルバムのように、他のメディアカテゴリーのメディアをフューチャーすることもできる。
【００８９】
図１５（ｄ）は、１つ以上のグラフィック１５３１、例えば、アルバムカバーアート、及び１つ以上のテキストブロック１５３３、例えば、音楽アーチスト名又は音楽アルバム題名を含むメディアブラウザディスプレイパネル１５３０を例示するブロック図である。グラフィック１５３１及びテキストブロック１５３３は、種々様々な仕方で配列することができ、例えば、ブラウジングのためにスクロール可能なリストに配列することができる。或いは又、少数のグラフィック１５３１及び／又はテキストブロック１５３３は、グループ全体を見るためにスクロールする必要がないように目立つやり方でグループ編成することができる。
【００９０】
図１５（ｅ）は、本発明の一実施形態による装置コントロールパネル１５４０を例示するブロック図である。装置コントロールパネル１５４０は、４つの装置コントロール１５４１を含む。装置コントロール１５４１は、ポータブルメディア装置のユーザインターフェイス１５００が実行されるときに基づくところのオンラインメディアストアの機能又はポータブル電子装置の機能にポータブル電子メディアストアユーザインターフェイス１５００のユーザがアクセスできるようにするボタン又はタブを含むことができる。本発明の一実施形態では、装置コントロール１５４１は、装置のユーザを、例えば、サーチページ、トップテンリスト、フューチャード音楽ページ、及びダウンロードキューに向けるボタンを含む。装置コントロールパネルにおけるコントロール１５４１の数は、変化し得る。例えば、付加的なコントロール１５４１は、付加的な機能を伴うネットワークが利用できるときに装置コントロールパネル１５４０に現れる。例えば、エンハンスト機能及び／又はエンハンストコンテンツを売り出す特定の小売施設のワイヤレスネットワークのような特定のワイヤレスネットワークを検出した際に、１つ以上の付加的なコントロール１５４１’が使用可能となる。
【００９１】
図１５（ｆ）は、本発明の一実施形態による装置コントロールパネル１５５１と装置コントロールパネル１５５３との間の遷移１５５０を例示するブロック図である。
【００９２】
図１５（ｆ）において、装置コントロールパネル１５５１は、非商業的なパブリック又はホームワイヤレスネットワークが検出されたときのような通常の環境のもとで表示される。装置コントロールパネル１５５１は、例えば、上述した図１５（ｅ）の装置コントロールパネル１５４１と同様である。本発明の一実施形態では、装置のユーザをサーチページ、トップテンリスト、フューチャード音楽ページ及びダウンロードページに向ける装置コントロール１５２５（例えば、ボタン）を含む４つの装置コントロール１５５５が示されている。対照的に、エンハンスト機能又はエンハンストコンテンツを伴うワイヤレスネットワークが検出されたときは、装置コントロールパネル１５５３が表示される。装置コントロールパネル１５５３は、５つの装置コントロール１５５５を有する。図１５（ｆ）に１５５５’で示された付加的な装置コントロール１５５５は、装置コントロールパネル１５５１と装置コントロールパネル１５５５との間の遷移１５５０の後に現れ、エンハンストワイヤレスネットワークが検出されたときに使用できる付加的な機能を与える。
【００９３】
本発明の一実施形態では、付加的な装置コントロール１５５５’は、小売店のローカルワイヤレスネットワークに関連したエンハンストオンラインメディアストアコンテンツへのリンクとして機能する。この実施形態では、付加的な装置コントロール１５１３を動作すると、エンハンストポータブルメディア装置メディアストアユーザインターフェイスをロードさせる。本発明の第２の実施形態では、付加的な装置コントロール１５５５’は、位置固有又は施設固有コンテンツ及び／又は機能がアクセス可能であるときに現れる位置固有装置コントロール又は施設固有装置コントロールである。
【００９４】
図１６（ａ）は、本発明の一実施形態によるエンハンストポータブル電子メディアストアユーザインターフェイス１６００のブロック図である。エンハンストポータブルメディア装置メディアストアユーザインターフェイス１６００は、ポータブルメディア装置メディアストアユーザインターフェイス１５００に置き換わるか又はそれを増強することができる。本発明の一実施形態では、ユーザは、１つ以上の装置コントロールを動作することにより、ポータブルメディア装置メディアストアユーザインターフェイス１５００とエンハンストポータブルメディア装置メディアストアユーザインターフェイス１６００との間で随意に前後にスイッチすることができる。
【００９５】
エンハンストポータブル電子メディアストアユーザインターフェイス１６００は、エンハンスト小売店固有メディアストアコンテンツにアクセスするように使用することができる。本発明の一実施形態では、エンハンスト小売店固有オンラインメディアストアコンテンツは、エンハンストポータブルメディアストアユーザインターフェイス１６００においてフューチャーされる。
【００９６】
図１６（ａ）において、ポータブル電子メディアストアユーザインターフェイス１６００は、３つのメディアストアディスプレイパネル１６０１を有する。メディアストアディスプレイパネル１６０１は、例えば、対応する個々のメディアアセット又はメディアアセットのグループ（例えば、音楽アルバム又は「新発売」のコレクション）を識別するグラフィック、テキストブロック及び／又はナビゲーションボタンを表示するのに使用できる。本発明の一実施形態において、グラフィック、テキストブロック及び／又はナビゲーションボタンは、いずれも、オンラインメディアストアにおいて購入のために利用できるメディアコンテンツへのリンク（例えば、ハイパーリンク）として機能することができる。更に、メディアストアディスプレイパネル１６０１は、ユーザが表示されたメディアアセットを購入できるようにするための１つ以上のコントロール（例えば、「購入」又は「今購入」ボタン）を含むことができる。明らかに、メディアストアディスプレイパネル１６０１は、グラフィック、テキストブロック及びナビゲーションボタンの種々の順列及び組合せを使用して具現化することができる。更に、メディアストアディスプレイパネル１６０１は、動的エレメント及び静的エレメントを含むことができる。メディアストアディスプレイパネルにおける動的エレメントは、例えば、フューチャード音楽アーチストグラフィックのセットを通して循環する間に周期的に変化する動的グラフィック（図示せず）である。
【００９７】
エンハンストメディアストアディスプレイパネル１６０１は、種々様々な形式のものがある。図１４を参照して上述したメディアストアディスプレイパネル１４０１、及び図１５を参照して上述したメディアストアディスプレイパネル１５０１は、いずれも、エンハンストメディアストアディスプレイパネル１６０１に使用することができる。更に、図１６（ｂ）から１６（ｄ）は、３つの他のエンハンストメディアストアディスプレイパネル１６０１を示す。
【００９８】
エンハンストポータブル電子メディアストアユーザインターフェイス１６００は、装置コントロールパネル１６０３も備えている。装置コントロールパネル１６０３は、例えば、ホームボタン又はサーチボタンのような装置コントロールを表示するのに使用できる。エンハンストポータブル電子メディアストアユーザインターフェイス１６００は、１つの構成例に過ぎず、明らかに、他のユーザインターフェイス構成も考えられる。
【００９９】
図１６（ｂ）は、本発明の一実施形態による「現在再生(Now Playing)」ディスプレイパネル１６１０を例示するブロック図である。「現在再生」ディスプレイパネル１６１０は、特定の施設にいる顧客にどんなメディアアセットが現在プレゼンテーションされているかについての位置固有情報を含むことができる。
【０１００】
例えば、小売店（即ち、小売施設）がメディアプレイシステムを使用して、顧客が見たり聞いたりするために小売店の後援者にメディアコンテンツ（例えば、音楽又はビデオ）をプレゼンテーションする場合に、現在再生中のメディアコンテンツに関するアーチストの他の情報を知りたい顧客は、ポータブル電子メディアストアユーザインターフェイス１６００における「現在再生」ディスプレイパネル１６１０にアクセスして、そのメディアコンテンツに関する情報を学習することができる。一実施形態において、メディアプレイシステムにより再生されて「現在再生」ディスプレイパネル１６１０に表示されているメディア品目は、エンハンストポータブル電子メディアストアユーザインターフェイス１６００を使用して売り出されてもいるメディア品目である。
【０１０１】
図１６（ｂ）において、「現在再生」ディスプレイパネル１６１０は、グラフィック１６１１（例えば、アルバムカバーアート）と、現在再生中のメディアコンテンツに関連したテキストブロック１６１３とを含む。テキストブロック１６１３は、特定施設において現在再生中のメディアコンテンツに関するアーチスト、アルバム、及び歌の題名の情報を含むことができる。更に、「現在再生」ディスプレイパネル１６１０は、表示されたメディアアセットを購入するために顧客が動作できる購入コントロールボタン１６１５（例えば、「購入(Buy)」ボタン）を含むことができる。
【０１０２】
図１６（ｃ）は、本発明の一実施形態による「最近再生された歌」ディスプレイパネル１６２０を例示するブロック図である。図１６（ｂ）の「現在再生」ディスプレイパネル１６１０と非常に良く似て、「最近再生された歌」ディスプレイパネル１６２０は、現在再生メディアコンテンツの前にプレゼンテーションされたメディアコンテンツに関して、例えば、アルバムカバーアートのようなグラフィック１６２１と、例えば、音楽アーチスト名又は音楽アルバム題名のような１つ以上のテキストブック１６２３とを含む情報を表示する。例えば、小売店がメディアプレイシステムを使用して、顧客が見たり聞いたりするために小売店の後援者にメディアコンテンツ（例えば、音楽又はビデオ）をプレゼンテーションする場合に、以前に再生されたメディアコンテンツに関するアーチストの他の情報を知りたい顧客は、ポータブル電子メディアストアユーザインターフェイス１６００における「最近再生された歌」ディスプレイパネル１６２０にアクセスして、最近再生された歌に関する情報（例えば、再生された最後の１０曲又は音楽ビデオ）を学習することができる。更に、「最近再生された歌」ディスプレイパネル１６２０は、１つ以上の表示されたメディアアセットを購入するために顧客が動作できる購入コントロールボタン１６２５（例えば、「購入」ボタン）を含むことができる。
【０１０３】
図１６（ｄ）は、本発明の一実施形態による装置コントロールパネル１６４０を例示するブロック図である。図示された装置コントロールパネル１６４０は、５つの装置コントロール１６４１を含む。装置コントロール１６４１は、エンハンストポータブル電子メディアストアユーザインターフェイス１６００のユーザが、エンハンストポータブルメディア装置ユーザインターフェイス１６００が動作するときに基づくところのエンハンストオンラインメディアストアの機能又はポータブル電子装置の機能にアクセスできるようにするボタン又はタブを含むことができる。本発明の一実施形態では、装置コントロール１６４１は、装置のユーザを、例えば、サーチページ、トップテンリスト、フューチャード音楽ページ及びダウンロードキューに向けるボタンを含む。装置コントロール１６４１は、例えば、上述したポータブル電子メディアストアユーザインターフェイス１５００の機能及び特徴をユーザが利用できるようにする。更に、装置コントロールパネルは、エンハンストポータブルメディアストアユーザインターフェイス１６００が現在選択されない場合に、ユーザをエンハンストポータブル電子メディアストアユーザインターフェイス１６００へ向けるのに使用できる１つのエンハンスト装置コントロール１６４１’、例えば、エンハンストオンラインメディアストアコンテンツホームキーを備えている。
【０１０４】
図１７は、本発明の一実施形態によるポータブルメディア装置メディアストア購入インターフェイス１７００を示す。ポータブルメディア装置メディアストア購入インターフェイス１７００は、例えば、図１４、１５及び１６について上述したメディアストアディスプレイパネル１４０１、１５０１又は１６０１に現れる。更に、ポータブルメディア装置メディアストア購入インターフェイス１７００は、販売のための単一のメディアアセットを表示することもできるし、又はメディアアセットのグループをスクロール可能なリストにおいて表示することもできる。
【０１０５】
ポータブルメディア装置メディアストア購入インターフェイス１７００は、販売のために１つ以上のメディアアセットを表示する。グラフィック１７０３及びテキスト１７０５を含むメディアアセット識別情報が表示される。更に、ポータブルメディア装置メディアストア購入インターフェイス１７００は、少なくとも１つのコントロールボタン１７０７（例えば、「購入」ボタン）を含む。本発明の一実施形態では、購入コントロールボタン１７０７は、２つの状態、例えば、購入状態及び購入確認状態を有する。購入コントロールボタン１７０７がどんな状態にあるかに基づいて、購入コントロールボタンは、異なる見掛けを有する。
【０１０６】
本発明の一実施形態では、購入コントロールボタン１７０７は、それが購入状態にあるときに、１つ以上の表示された関連メディアアセットに対する購入価格を表示する。購入コントロールボタン１７０７が、例えば、マウスでボタンをクリックするか又はタッチスクリーンを使用してボタンにタップすることにより動作されると、購入コントロールボタン１７０７は、購入確認状態に入る。本発明の一実施形態では、購入コントロールボタン１７０７が購入確認状態にあるときに、購入コントロールボタン１７０７は、例えば、購入コントロールボタン１７０７に「今購入」を表示することにより、ユーザが１つ以上の関連メディアアセットを購入したいという確認をユーザに促す。本発明の一実施形態では、購入コントロールボタンを２回目に動作すると、１つ以上の関連メディアアセットをダウンロードキューに入れて、ユーザのポータブルメディア装置へ直ちにダウンロードさせる。
【０１０７】
図１８は、本発明の一実施形態によるポータブルメディア装置メディアストアブラウズ及び試写インターフェイス１８００を示す。ポータブルメディア装置メディアストアブラウズ及び試写インターフェイス１８００は、例えば、図１４、１５及び１６について上述したメディアストアディスプレイパネル１４０１、１５０１又は１６０１に現れる。更に、ポータブルメディア装置メディアストアブラウズ及び試写インターフェイス１８００は、ブラウジング又は試写のために単一メディアアセットを表示することもできるし、又はメディアアセットのグループをスクロール可能なリストにおいて表示することもできる。更に、ポータブルメディア装置メディアストアブラウズ及び試写インターフェイス１８００は、図１７について述べたポータブルメディア装置メディアストア購入グラフィックユーザインターフェイス１７００と結合することもできる。
【０１０８】
ポータブルメディア装置メディアストアブラウズ及び試写インターフェイス１８００は、グラフィック１８０５及びテキスト１８０７を含むことのできるメディアアセット情報１８０１を備えている。例えば、グラフィック１８０５は、音楽アルバムのためのアルバムカバーアートの表現であり、そしてテキスト１８０７は、グラフィック１８０５に関連したアーチスト及び歌情報である。更に、ポータブルメディア装置メディアストアブラウズ及び試写インターフェイス１８００は、ポータブルメディア装置メディアストアブラウズ及び試写インターフェイス１８００をどのように動作するかについてのインストラクション１８０９を与える。ポータブルメディア装置メディアストアブラウズ及び試写インターフェイス１８００を動作するときに、ユーザは、メディアアセットの試写（即ち、大きなメディアアセットの断片）を見及び／又は聴きするためにメディアアセット情報１８０１をクリック又はタップすることができる。或いは又、ユーザは、例えば、メディアアセットに関連したアルバムのトラックリストを含めて、そのメディアアセットに関する付加的な情報を受け取るためにメディアアセット情報１８０５をダブルクリック又はダブルタップすることもできる。
【０１０９】
図１９は、本発明の一実施形態によるポータブルメディア装置グラフィックユーザインターフェイスツリー１９００を示す図である。ポータブルメディア装置グラフィックユーザインターフェイスツリー１９００のコンポーネントは、図１４、１５及び１６について述べた装置コントロール、例えば、装置コントロール１４４１、１５４１及び１６４１を経て、並びにメディアストアディスプレイパネル１４４０、１５４０及び１６４０を経てアクセスされる。図１９は、ホームレベルインターフェイス１９０１、ブラウズレベルインターフェイス１９０３、及び試写／購入レベルインターフェイス１９０５、と示された３つのインターフェイスレベルを示している。ホームレベルインターフェイス１９０１は、例えば、ポータブルメディア装置グラフィックユーザインターフェイスが最初にスタートする（即ち、起動される）とき、又はホームキー、例えば、図１６について述べた装置コントロール１６４１又は１６４１’が押されたときに、現れる。典型的に、ホームキーは、ユーザがインターフェイスツリーの根においてスタートするのを許す。２つのホームレベルオプション１９０１、即ちメディアストアホーム１９０７及びエンハンストメディアストアホーム１９０９、が図１９に示されている。メディアストアホーム１９０７は、例えば、図１６について述べたエンハンストポータブル電子メディアストアグラフィックユーザインターフェイス１６００が最初にスタートするときに表示されるインターフェイスである。エンハンストメディアストアホーム１９０９は、例えば、図１６について上述したエンハンストメディアストアコンテンツが得られるときに、得られる。次いで、種々のブラウズレベルメニュー１９０３が示される。ブラウズレベルインターフェイス１９０３は、対話をブラウジングすることを許し、例えば、コレクション１９１１、フューチャードコンテンツ１９１３又はサーチ結果１９１５（例えば、ユーザにより供給されるサーチ項に基づくメディアストアサーチの結果）を通してブラウジングすることを許す。コレクション１９１１は、メディアアセットのいかなるコレクションでもよく、例えば、アルバム、プレイリスト、ジャンル、人気（例えば、「ホワッツホット(What’ Hot)」）、新規性（例えば、「新発売」）、又は他の基準によりグループ編成されたコレクション、例えば、図１６（ｃ）の「最近再生された歌」ディスプレイパネル１６２０における最近再生された歌のコレクション、である。フューチャードコンテンツ１９１３は、例えば、図１４に示すフューチャードアーチスト１４２０のように、リストにおいて又は単独で目立つように表示されるメディアコンテンツである。
【０１１０】
試写／購入レベルインターフェイス１９０５は、ユーザがメディアコンテンツのサンプルを聴取し及び／又はメディアコンテンツを購入するのを許す。このレベルでは、ユーザは、例えば、図１７のポータブルメディア装置メディアストア「２クリック購入」インターフェイス１７００のエレメント、図１８のポータブルメディア装置メディアストアブラウズ及び試写インターフェイス１８００のエレメント、又は図１６の「現在再生」ディスプレイパネル１６１０と対話することができる。
【０１１１】
図２０から２７は、図１４から１９について一般的に上述されたものと同様のディスプレイパネル及び装置コントロールパネルの種々の行列及び組合せのスクリーンショットである。より詳細には、図２０から２７のスクリーンショットは、カリフォルニア州クパーティーノのアップル社により製造されたｉＰｈｏｎｅTMで動作されるこれもアップル社製のｉＴｕｎｅｓTMメディアアプリケーションのスクリーンショットである。図２０から２７の位置固有装置コントロールは、ユーザが、ｉＴｕｎｅｓTMメディアストアによりホストされるページのようなページ（１つ又は複数）と対話できるようにする。
【０１１２】
図２０は、図１４（ａ）から１４（ｅ）について一般的に述べたｉＰｈｏｎｅTMにおいて実行されるｉＴｕｎｅｓTMページのサンプルスクリーンショットである。
【０１１３】
図２１は、図１６（ａ）から１６（ｄ）について一般的に述べた「現在再生」及び「最近再生」パネルを含むｉＴｕｎｅｓTMＳｔａｒｂｕｃｋｓTMメディアストアページのサンプルスクリーンショットである。
【０１１４】
図２２は、図１６（ｄ）について上述したエンハンスト装置コントロール１６４１の一例であるディスプレイの左下隅におけるＳｔａｒｂｕｃｋｓTMホームキーを示すｉＴｕｎｅｓTMページのサンプルスクリーンショットである。
【０１１５】
図２３は、メディアコンテンツコレクションのリストを示すｉＴｕｎｅｓTMページのサンプルスクリーンショットである。
【０１１６】
図２４は、スクロール可能なディスプレイパネルにアーチスト及びアルバム結果の両方を表示するｉＴｕｎｅｓTMサーチ結果ページのサンプルスクリーンショットである。
【０１１７】
図２５は、図１４について一般的に述べたｉＴｕｎｅｓTMダウンロードキューのサンプルスクリーンショットである。
【０１１８】
図２６は、図１４について一般的に述べたｉＴｕｎｅｓTMが適切に動作するのに適したネットワークがないエリアにおいてユーザがｉＴｕｎｅｓTMへのアクセスを試みたときのｉＴｕｎｅｓTMにおけるエラーメッセージのサンプルスクリーンショットである。
【０１１９】
図２７は、図１７について一般的に述べたｉＴｕｎｅｓTMメディア購入インターフェイスのサンプルスクリーンショットである。
【０１２０】
小売位置又は小売店は、より一般的には、各々、会社の位置又はストアである。会社の位置又はストアは、施設（又は会社施設）と称することもできる。施設の一形式は、小売施設である。施設は、例えば、コーヒー／ティーショップ、新聞売店、ジム、電子ストア、メディアストア、フードサービスストア、スポール用品ストア、バー、スポーツ会場、コンサートホール、等を含む。互いに接近しているグループ会社は、同じ長所を効率的に提供するためにネットワークリソースを共有することもできる。例えば、ショッピングモールは、ネットワークアクセス及び記憶装置をショッピングモール全体にわたって種々の会社テナントにより共有させることでモール内の個々の会社テナント全体を支援することができる。
【０１２１】
ここで使用されるポータブル電子装置は、例えば、コンピューティング装置（例えば、パーソナルコンピュータ）、移動電話（例えば、セルラー電話）、パーソナルデジタルアシスタント（ＰＤＡ）、メディアプレーヤ（例えば、音楽、ビデオ、ゲーム、映像）、メディア記憶装置、カメラ、等に対応する。又、電子装置は、これらの装置機能の２つ以上を単一の装置へ結合するマルチファンクション装置でもよい。一実施形態において、ポータブル電子装置は、それがローカルエリアワイヤレスネットワークにワイヤレス結合できるようにワイヤレス通信をサポートしなければならない。
【０１２２】
ここで使用されるポータブル電子装置は、更に、ハンドヘルド電子装置である。ハンドヘルドという語は、一般的に、電子装置のフォームファクタが、片手で快適に保持されるに足るほど小さいことを意味する。ハンドヘルドの電子装置は、片手動作又は両手動作に向けられる。片手動作では、片手を使用して、装置を支持することと、使用中にユーザインターフェイスで動作を遂行することの両方を行う。両手動作では、片手を使用して装置を支持しながら、他方の手で、使用中にユーザインターフェイスで動作を遂行するか、或いは両手で装置を支持して使用中に動作を遂行する。あるケースでは、ハンドヘルド電子装置は、ユーザのポケットに入るサイズとされる。ポケットサイズとすることで、ユーザは、装置を直接持ち運ぶ必要がなく、それ故、装置は、ユーザのほぼ全ての移動先へ持って行くことができる（例えば、ユーザは、大きな、かさばる、そしてしばしば重たい装置を持ち運ぶことにより制限を受けることはない）。
【０１２３】
ここで使用されるポータブル電子装置は、例えば、コンピューティング装置（例えば、パーソナルコンピュータ）、移動電話（例えば、セルラー電話）、パーソナルデジタルアシスタント（ＰＤＡ）、メディアプレーヤ（例えば、音楽、ビデオ、ゲーム、映像）、メディア記憶装置、カメラ、リモートコントロール、等に対応する。又、電子装置は、これらの装置機能の２つ以上を単一装置へ結合するマルチファンクション装置でもよい。マルチファンクション装置の例は、参考としてここに援用する“MULTI-FANCTIONAL HAND-HELD DEVICE”と題する米国特許出願公告第２００６０１９７７５３号に見ることができる。
【０１２４】
図２８は、本発明の一実施形態による移動マルチファンクション装置２８００のブロック図である。移動マルチファンクション装置２８００は、上述したオペレーションを遂行できるポータブル電子装置の回路を含むことができる。移動マルチファンクション装置２８００は、少なくとも２つのファンクション、即ちメディアプレイバックファンクション（ディスプレイスクリーン／メニュープレゼンテーションを含む）、及びワイヤレスボイス通信ファンクションを与えるためのハードウェア及びソフトウェアコンポーネントを含む。メディアプレイバックを与えるときに、移動マルチファンクション装置２８００は、メディア品目を（表示することを含めて）再生することのできるメディアプレーヤとして動作することができる。メディア品目は、例えば、オーディオ品目（例えば、オーディオファイル又は歌）、ビデオ（例えば、映画）又は映像（例えば、写真）に関する。ワイヤレスボイス通信を与えるときに、移動マルチファンクション装置２８００は、移動電話（例えば、セルラー電話）として働くことができる。
【０１２５】
移動マルチファンクション装置２８００は、移動マルチファンクション装置２８００の全オペレーションを制御するためのマイクロプロセッサ又はコントローラに関するプロセッサ２８０２を備えている。移動マルチファンクション装置２８００は、メディア品目に関するメディアデータをファイルシステム２８０４及びキャッシュ２８０６に記憶する。一実施形態では、ファイルシステム２８０４は、記憶ディスク又は複数のディスクによって具現化される。別の実施形態では、ファイルシステム２８０４は、ＥＥＰＲＯＭ又はフラッシュ型メモリによって具現化される。ファイルシステム２８０４は、典型的に、移動マルチファンクション装置２８００のために大容量の記憶能力を与える。しかしながら、ファイルシステム２８０４へのアクセス時間が比較的ゆっくりであるので、移動マルチファンクション装置２８００は、キャッシュ２８０６も備えることができる。キャッシュ２８０６は、例えば、半導体メモリにより形成されるランダムアクセスメモリ（ＲＡＭ）である。キャッシュ２８０６への相対的なアクセス時間は、ファイルシステム２８０４の場合より実質的に短い。しかしながら、キャッシュ２８０６は、ファイルシステム２８０４の大きな記憶容量を有していない。更に、ファイルシステム２８０４は、アクティブであるときに、キャッシュ２８０６より多量の電力を消費する。消費電力は、移動マルチファンクション装置２８００がバッテリ２８２４により付勢されるポータブル移動マルチファンクション装置であるときに、しばしば問題となる。又、移動マルチファンクション装置２８００は、ＲＡＭ２８２０及びリードオンリメモリ（ＲＯＭ）２８２２も備えている。ＲＯＭ２８２２は、実行されるべきプログラム、ユーティリティ又はプロセスを不揮発的に記憶することができる。ＲＯＭ２８２２は、書き込み可能な不揮発性データ記憶装置をなすように、ＥＥＰＲＯＭ又はフラッシュ型メモリによって具現化することができる。ＲＡＭ２８２０は、キャッシュ２８０６のような揮発性データ記憶装置をなす。
【０１２６】
一実施形態では、ワイヤレスボイス通信をサポートするために、移動マルチファンクション装置２８００は、トランシーバー２８２６及びＳＩＭカード２８２８を備えている。トランシーバー２８２６は、（ワイヤレスセルラーネットワークのような）ワイヤレスネットワークとのワイヤレス通信をサポートする。ＳＩＭカード２８２８は、ワイヤレスネットワークにアクセスしてそれを利用するために移動マルチファンクション装置２８００により使用できる識別子（例えば、ＳＩＭ識別子）を含む。他の実施形態では、ＳＩＭカード２８２８は、利用されない。
【０１２７】
又、移動マルチファンクション装置２８００は、移動マルチファンクション装置２８００のユーザが移動マルチファンクション装置２８００と対話できるようにするユーザ入力装置２８０８も備えている。例えば、ユーザ入力装置２８０８は、ボタン、キーパッド、ダイヤル、等の種々の形態をとることができる。更に、移動マルチファンクション装置２８００は、ユーザに情報を表示するためにプロセッサ２８０２により制御できるディスプレイ２８１０（スクリーンディスプレイ）を備えている。データバス２８１１は、少なくとも、ファイルシステム２８０４と、キャッシュ２８０６と、プロセッサ２８０２と、ＣＯＤＥＣ２８１２との間でのデータ転送を容易にすることができる。
【０１２８】
一実施形態では、移動マルチファンクション装置２８００は、複数のメディア品目（例えば、歌）をファイルシステム２８０４に記憶するように働く。移動マルチファンクション装置が特定のメディア品目を再生することをユーザが希望するときには、入手可能なメディア品目のリストがディスプレイ２８１０に表示される。次いで、ユーザ入力装置２８０８を使用して、ユーザは、入手可能なメディア品目の１つを選択することができる。プロセッサ２８０２は、特定のメディア品目の選択を受け取ると、特定のメディア品目についてのメディアデータ（例えば、オーディオファイル）をコーダー／デコーダー（ＣＯＤＥＣ）２８１２へ供給する。ＣＯＤＥＣ２８１２は、次いで、スピーカ２８１４のためのアナログ出力信号を発生する。スピーカ２８１４は、移動マルチファンクション装置２８００の内部のスピーカであるか、又は移動マルチファンクション装置２８００の外部のスピーカである。例えば、移動マルチファンクション装置２８００に接続するヘッドホン又はイヤホンは、外部スピーカと考えられる。
【０１２９】
又、移動マルチファンクション装置２８００は、データリンク２８１８へ結合するバスインターフェイス２８１６も備えている。データリンク２８１８は、移動マルチファンクション装置２８００をホスト装置（例えば、ホストコンピュータ又は電源）に結合できるようにする。又、データリンク２８１８は、移動マルチファンクション装置２８００に電力を与えることもできる。
【０１３０】
ここで使用されるポータブル電子装置は、更に、ハンドヘルド電子装置である。ハンドヘルドという語は、一般的に、電子装置のフォームファクタが、片手で快適に保持されるに足るほど小さいことを意味する。ハンドヘルドの電子装置は、片手動作又は両手動作に向けられる。片手動作では、片手を使用して、装置を支持することと、使用中にユーザインターフェイスで動作を遂行することの両方を行う。両手動作では、片手を使用して装置を支持しながら、他方の手で、使用中にユーザインターフェイスで動作を遂行するか、或いは両手で装置を支持して使用中に動作を遂行する。あるケースでは、ハンドヘルド電子装置は、ユーザのポケットに入るサイズとされる。ポケットサイズとすることで、ユーザは、装置を直接持ち運ぶ必要がなく、それ故、装置は、ユーザのほぼ全ての移動先へ持って行くことができる（例えば、ユーザは、大きな、かさばる、そしてしばしば重たい装置を持ち運ぶことにより制限を受けることはない）。
【０１３１】
デジタルメディアアセット（即ち、デジタルメディア品目）は、ビデオ品目（例えば、ビデオファイル又は映画）、オーディオ品目（例えば、歌（音楽）又はオーディオブックのためのオーディオファイル又はオーディオトラック）、又は映像品目（例えば、写真）に関するものである。又、デジタルメディアアセットは、テキスト又はマルチメディアファイルを含むことができ、或いはそれによって捕捉することができる。
【０１３２】
上述した本発明の種々の態様、特徴、実施形態又は具現化は、単独で使用することもできるし、又は種々の組合せで使用することもできる。
【０１３３】
本発明は、ソフトウェア、ハードウェア、又はそれらの組合せで具現化されるのが好ましい。又、本発明は、コンピュータ読み取り可能なメディアにおけるコンピュータ読み取り可能なコードとして実施することもできる。コンピュータ読み取り可能なメディアは、コンピュータシステムによって後で読み取ることのできるデータを記憶できるデータ記憶装置である。コンピュータ読み取り可能なメディアの例は、一般的に、リードオンリメモリ及びランダムアクセスメモリを含む。コンピュータ読み取り可能なメディアのより特定の例は、有形なものであって、フラッシュメモリ、ＥＥＰＲＯＭメモリ、メモリカード、ＣＤ−ＲＯＭ、ＤＶＤ、ハードドライブ、磁気テープ、及び光学データ記憶装置を含む。又、コンピュータ読み取り可能なメディアを、ネットワーク結合されたコンピュータシステムにわたって分散して、コンピュータ読み取り可能なコードが分散形態で記憶され実行されるようにすることもできる。
【０１３４】
本発明の効果は多数ある。異なる態様、実施形態又は具現化は、次の効果の１つ以上を生み出すが、そのようにする必要はない。本発明の１つの効果は、施設の後援者が、施設にいる間に、ストアベース情報を動的に受け取れることである。ストアベース情報は、施設におけるユーザの体験を容易にすることができる。又、ストアベース情報は、オンラインメディアストアから関連メディアコンテンツを探索することも容易にする。又、本発明の別の効果は、後援者が施設にいる間に後援者のポータブル電子装置にストアベース情報を表示できることである。本発明の更に別の効果は、メディアコンテンツプロバイダー、例えば、オンラインメディアストアが、種々の施設に対する集中管理と整合することができ、従って、ストアベース情報を中央に記憶してアクセスできることである。本発明の更に別の効果は、施設の後援者に改良されたグラフィックユーザインターフェイスを提供できることである。
【０１３５】
以上の説明から本発明の多数の特徴及び効果が明らかであろう。更に、当業者であれば、多数の修正や変更が容易になされるであろうから、本発明は、図示して説明した厳密な構造及び動作に限定されない。そのような修正や変更は、全て、本発明の特許請求の範囲に包含される。
【符号の説明】
【０１３６】
１００：メディア配送システム
１０２：オンラインメディアストアサーバー
１０４：データネットワーク
１０６：ストア位置
１０８：中央ストアサーバー
１１０：地域キャッシュサーバー
１１２：ワイヤレスネットワーク
１１４：ストアキャッシュサーバー
１１６：メディア装置Ａ
１１８：メディア装置Ｂ
１２０：メディアプレイシステム
１２２：ネットワークアクセスリンク
２００：ページ要求プロセス
３００：データ要求プロセス
４００：ページ要求プロセス
５００：ページ応答プロセス
６００：ページカスタマイズプロセス
７００：ナビゲーション構成体
８００：例示的ページ
９００、９５０：現在再生モジュール
１４００：ポータブル電子メディアストアグラフィックユーザインターフェイス
１５００：ポータブル電子メディアストアユーザインターフェイス
１６００：エンハンストポータブルメディアストアユーザインターフェイス
１７００：ポータブルメディア装置メディアストア購入インターフェイス
２８０２：プロセッサ
２８０４：ファイルシステム（記憶装置）
２８０６：キャッシュ
２８０８：ユーザ入力装置
２８１０：ディスプレイ
２８１２：ＣＯＤＥＣ
２８１４：スピーカ
２８１６：ネットワーク／バスインターフェイス
２８２０：ＲＡＭ
２８２２：ＲＯＭ
２８２４：バッテリ
２８２６：トランシーバー
２８２８：ＳＩＭカード
【図１】
0005667442.tif 000002
【図２】
0005667442.tif 000003
【図３】
0005667442.tif 000004
【図４Ａ】
0005667442.tif 000005
【図４Ｂ】
0005667442.tif 000006
【図５】
0005667442.tif 000007
【図６】
0005667442.tif 000008
【図７】
0005667442.tif 000009
【図８】
0005667442.tif 000010
【図９Ａ】
0005667442.tif 000011
【図９Ｂ】
0005667442.tif 000012
【図１０】
0005667442.tif 000013
【図１１】
0005667442.tif 000014
【図１２】
0005667442.tif 000015
【図１３】
0005667442.tif 000016
【図１４（ａ）】
0005667442.tif 000017
【図１４（ｂ）】
0005667442.tif 000018
【図１４（ｃ）】
0005667442.tif 000019
【図１４（ｄ）】
0005667442.tif 000020
【図１４（ｅ）】
0005667442.tif 000021
【図１５（ａ）】
0005667442.tif 000022
【図１５（ｂ）】
0005667442.tif 000023
【図１５（ｃ）】
0005667442.tif 000024
【図１５（ｄ）】
0005667442.tif 000025
【図１５（ｅ）】
0005667442.tif 000026
【図１５（ｆ）】
0005667442.tif 000027
【図１６（ａ）】
0005667442.tif 000028
【図１６（ｂ）】
0005667442.tif 000029
【図１６（ｃ）】
0005667442.tif 000030
【図１６（ｄ）】
0005667442.tif 000031
【図１７】
0005667442.tif 000032
【図１８】
0005667442.tif 000033
【図１９】
0005667442.tif 000034
【図２０】
0005667442.tif 000035
【図２１】
0005667442.tif 000036
【図２２】
0005667442.tif 000037
【図２３】
0005667442.tif 000038
【図２４】
0005667442.tif 000039
【図２５】
0005667442.tif 000040
【図２６】
0005667442.tif 000041
【図２７】
0005667442.tif 000042
【図２８】
0005667442.tif 000043